(57)【要約】本発明は、ＯＦＤＭベースの移動通信システムのサブフレーム内で下りリンクグラントおよび上りリンクグラントの少なくとも一方を検出する方法に関する。本発明は、これらの方法を実行する受信装置（例えば中継ノードまたは移動端末）を提供する。本発明は、上りリンクグラントサーチスペースを、下りリンクグラントサーチスペースのサブセットを形成するように定義する。つまり上りリンクグラントサーチスペースは、周波数領域において、下りリンクグラントサーチスペースを形成しているリソースブロックペアのサブセット上に定義される。この構成では、上りリンクグラントサーチスペースと下りリンクグラントに使用されるリソースとを除く残りのリソースに、下りリンクデータをマッピングすることができる。さらに下りリンクグラントは、サブフレーム内の上りリンクグラントサーチスペースが（ユーザ）データを含んでいるか否かの指示情報を備える。
2013538475.tif 000002
【特許請求の範囲】
【請求項１】
ＯＦＤＭベースの移動通信システムのサブフレーム内で下りリンクグラントおよび上りリンクグラントの少なくとも一方を検出する方法であって、受信装置によって実行される以下のステップ、すなわち、
基地局からサブフレームを受信するステップであって、前記サブフレームが物理リソースブロックペアに論理的に分割されており、それぞれのリソースブロックペアが、前記サブフレームの第１のスロット内のリソースブロックと、前記サブフレームの第２のスロット内のリソースブロックとからなる、ステップと、
前記サブフレームの下りリンクグラントサーチスペース内で下りリンクグラントのブラインド検出を実行するステップであって、前記下りリンクグラントサーチスペースが、前記サブフレームの前記第１のスロット内の複数のリソースブロックペアの複数の物理リソースブロックからなる、ステップと、
前記サブフレームの上りリンクグラントサーチスペース内で上りリンクグラントのブラインド検出を実行するステップであって、前記上りリンクグラントサーチスペースが、前記サブフレームの前記第２のスロット内の複数の物理リソースブロックからなり、前記第２のスロット内の前記物理リソースブロックが、前記下りリンクグラントサーチスペースを形成している前記第１のスロット内の物理リソースブロックの物理リソースブロックペア、のサブセット、内に位置している、ステップと、
を含んでいる、方法。
【請求項２】
ＯＦＤＭベースの移動通信システムのサブフレーム内で下りリンクグラントおよび上りリンクグラントの少なくとも一方を検出する方法であって、受信装置によって実行される以下のステップ、すなわち、
基地局からサブフレームを受信するステップであって、前記サブフレームが物理リソースブロックペアに論理的に分割されており、それぞれのリソースブロックペアが、前記サブフレームの第１のスロット内のリソースブロックと、前記サブフレームの第２のスロット内のリソースブロックとからなる、ステップと、
前記サブフレームの下りリンクグラントサーチスペース内で下りリンクグラントのブラインド検出を実行するステップであって、前記下りリンクグラントサーチスペースが、前記サブフレームの前記第１のスロット内の複数の物理リソースブロックからなる、ステップと、
前記サブフレームの上りリンクグラントサーチスペースにマッピングされているデータが存在するかを、前記下りリンクグラントに基づいて判定し、
前記サブフレームの前記上りリンクグラントサーチスペースにマッピングされているデータが存在しないものと判定された場合、前記サブフレームの前記上りリンクグラントサーチスペース内で上りリンクグラントのブラインド検出を実行するステップであって、
前記上りリンクグラントサーチスペースが、前記サブフレームの前記第２のスロット内の物理リソースブロックのサブセットからなり、前記第２のスロット内の前記物理リソースブロックの前記サブセットが、前記下りリンクグラントサーチスペースを形成している前記物理リソースブロックの物理リソースブロックペア、内に位置している、前記ステップと、
を含んでいる、方法。
【請求項３】
前記上りリンクグラントサーチスペースを形成する、前記サブフレームの前記第２のスロット内の物理リソースブロックの数が、前記下りリンクグラントの前記ブラインド検出の結果に基づいて決定される、
請求項１または請求項２に記載の方法。
【請求項４】
前記下りリンクグラントサーチスペース内に下りリンクグラントが検出された場合、前記上りリンクグラントサーチスペースを形成する、前記サブフレームの前記第２のスロット内の物理リソースブロックの前記数が、前記下りリンクグラントサーチスペース内に下りリンクグラントが検出されない場合における、前記上りリンクグラントサーチスペースを形成する、前記サブフレームの前記第２のスロット内の物理リソースブロックの前記数よりも、少ない、
請求項１から請求項３のいずれかに記載の方法。
【請求項５】
前記上りリンクグラントサーチスペースを形成する、前記サブフレームの前記第２のスロット内の物理リソースブロックの前記数が、前記下りリンクグラントサーチスペースを形成する、前記サブフレームの前記第１のスロット内の物理リソースブロックの前記数よりも少ない、
請求項１から請求項４のいずれかに記載の方法。
【請求項６】
前記サブフレームの前記下りリンクグラントサーチスペース内に下りリンクグラントが検出された場合、前記上りリンクグラントサーチスペースが、前記サブフレームの前記第１のスロット内で前記下りリンクグラントが検出された物理リソースブロックの物理リソースブロックペアに属している、前記サブフレームの前記第２のスロット内の物理リソースブロック、のサブセット、からなるものと、前記受信装置が判定する、
請求項１から請求項５のいずれかに記載の方法。
【請求項７】
前記サブフレームの前記下りリンクグラントサーチスペース内に下りリンクグラントが検出されない場合、前記上りリンクグラントサーチスペースが、前記サブフレームの前記第１のスロット内の前記下りリンクグラントサーチスペースを形成している物理リソースブロックの物理リソースブロックペアに属している、前記サブフレームの前記第２のスロット内の物理リソースブロック、のサブセット、からなるものと、前記受信装置が判定する、
請求項１から請求項６のいずれかに記載の方法。
【請求項８】
前記上りリンクグラントサーチスペースを形成する、前記サブフレームの前記第２のスロット内の物理リソースブロックの前記数が、前記上りリンクグラントサーチスペースを前記下りリンクグラントサーチスペースから導くことのできる制御シグナリングまたは事前に定義された規則に従って、前記受信装置によって決定される、
請求項１から請求項７のいずれかに記載の方法。
【請求項９】
前記下りリンクグラントサーチスペースが、少なくとも１つのリソースブロックグループの物理リソースブロックによって形成されており、前記上りリンクグラントサーチスペースが、前記少なくとも１つのリソースブロックグループ内に位置する、前記サブフレームの前記第２のスロットの物理リソースブロック、のサブセット、によって形成されている、
請求項１から請求項８のいずれかに記載の方法。
【請求項１０】
前記下りリンクグラントがビットマップを備えており、前記ビットマップの各ビット位置が、物理リソースブロックグループに関連付けられており、前記それぞれの関連付けられている物理リソースブロックグループが、下りリンクデータ送信用に前記受信装置に割り当てられているかを示しており、
前記下りリンクグラントを含んでいる前記リソースブロックグループが、つねに前記受信装置に割り当てられており、前記下りリンクグラントを含んでいる前記リソースブロックグループに関連付けられている、前記ビットマップのビットが、前記下りリンクグラントを含んでいる前記リソースブロックグループ内の前記上りリンクグラントサーチスペースにマッピングされているデータが存在するか否かを示すインジケータとして使用される、
請求項９に記載の方法。
【請求項１１】
前記下りリンクグラントを含んでいる前記リソースブロックグループの前記上りリンクグラントサーチスペースにマッピングされているデータが存在しないことが、前記下りリンクグラントサーチスペース内で受信された下りリンクグラントに基づいて判定される場合、前記検出された下りリンクグラントに従って、前記下りリンクグラントを含んでいる前記リソースブロックグループの物理リソースのうち前記下りリンクグラントのシグナリングに使用されない物理リソース上で、前記受信装置への下りリンクデータを受信するステップと、
前記下りリンクグラントを含んでいる前記リソースブロックグループの前記上りリンクグラントサーチスペースにマッピングされているデータが存在しないことが、前記下りリンクグラントサーチスペース内で受信された下りリンクグラントに基づいて判定される場合、前記検出された下りリンクグラントに従って、前記下りリンクグラントを含んでいる前記リソースブロックグループの物理リソースのうち前記下りリンクグラントのシグナリングに使用されず、かつ前記上りリンクグラントサーチスペース内に位置していない物理リソース上で、前記受信装置への下りリンクデータを受信するステップと、
をさらに含んでいる、
請求項９または請求項１０に記載の方法。
【請求項１２】
下りリンクリソースを受信装置に許可する制御チャネル信号であって、前記制御チャネル信号が、ビットマップを組み込んでいるリソース割当てフィールドを備えており、前記ビットマップの各ビット位置が、サブフレームの物理リソースブロックグループに関連付けられており、前記それぞれの関連付けられている物理リソースブロックグループが、下りリンクデータ送信用に受信装置に割り当てられているかを示し、
前記制御チャネル信号が、前記制御チャネル信号が前記受信装置に送信される前記リソースブロックグループを、つねに前記受信装置に割り当て、前記制御チャネル信号を含んでいる前記リソースブロックグループに関連付けられている、前記ビットマップのビットが、前記制御チャネル信号を含んでいる前記リソースブロックグループ内の上りリンクグラントサーチスペースにマッピングされている、前記受信装置へのデータが存在するか否かを、前記受信装置に示すインジケータとして使用される、
制御チャネル信号。
【請求項１３】
請求項１２に記載されている制御チャネル信号を生成する処理部と、
前記制御チャネル信号を受信装置に送信する送信器部と、
を備えている、送信装置。
【請求項１４】
ＯＦＤＭベースの移動通信システムのサブフレーム内で下りリンクグラントおよび上りリンクグラントの少なくとも一方を検出する受信装置であって、
基地局からサブフレームを受信する受信器部であって、前記サブフレームが物理リソースブロックペアに論理的に分割されており、それぞれのリソースブロックペアが、前記サブフレームの第１のスロット内のリソースブロックと、前記サブフレームの第２のスロット内のリソースブロックとからなる、受信器部と、
前記サブフレームの下りリンクグラントサーチスペース内で下りリンクグラントのブラインド検出を実行する復号化部であって、前記下りリンクグラントサーチスペースが、前記サブフレームの前記第１のスロット内の複数のリソースブロックペアの複数の物理リソースブロックからなる、復号化部と、
を備えており、
前記復号化部が、前記サブフレームの上りリンクグラントサーチスペース内で上りリンクグラントのブラインド検出を実行するようにさらにされており、前記上りリンクグラントサーチスペースが、前記サブフレームの前記第２のスロット内の物理リソースブロックのサブセットからなり、前記第２のスロット内の前記物理リソースブロックの前記サブセットが、前記下りリンクグラントサーチスペースを形成している前記物理リソースブロックの前記物理リソースブロックペア、内に位置している、
受信装置。
【請求項１５】
ＯＦＤＭベースの移動通信システムのサブフレーム内で下りリンクグラントおよび上りリンクグラントの少なくとも一方を検出する受信装置であって、
基地局からサブフレームを受信する受信器部であって、前記サブフレームが物理リソースブロックペアに論理的に分割されており、それぞれのリソースブロックペアが、前記サブフレームの第１のスロット内のリソースブロックと、前記サブフレームの第２のスロット内のリソースブロックとからなる、受信器部と、
前記サブフレームの下りリンクグラントサーチスペース内で下りリンクグラントのブラインド検出を実行する復号化部であって、前記下りリンクグラントサーチスペースが、前記サブフレームの前記第１のスロット内の複数の物理リソースブロックからなる、復号化部と、
前記サブフレームの上りリンクグラントサーチスペースにマッピングされているデータが存在するかを、前記下りリンクグラントに基づいて判定する処理部と、
を備えており、
前記復号化部が、前記サブフレームの前記上りリンクグラントサーチスペースにマッピングされているデータが存在しないものと判定された場合、前記サブフレームの前記上りリンクグラントサーチスペース内で上りリンクグラントのブラインド検出を実行するようにされており、
前記上りリンクグラントサーチスペースが、前記サブフレームの前記第２のスロット内の物理リソースブロックのサブセットからなり、前記第２のスロット内の前記物理リソースブロックの前記サブセットが、前記下りリンクグラントサーチスペースを形成している前記物理リソースブロックの物理リソースブロックペア、内に位置している、
受信装置。
【発明の詳細な説明】
【技術分野】
【０００１】
本発明は、ＯＦＤＭベースの移動通信システムのサブフレーム内で下りリンクグラントおよび上りリンクグラントの少なくとも一方を検出する方法に関する。さらに、本発明は、これらの方法を実行するようにされている受信装置（例えば中継ノードまたは移動端末）を提供する。さらに、本発明は、制御チャネル信号（特に、下りリンクグラント）の定義と、制御チャネル信号を生成および送信することのできる送信装置（例えば基地局）とに関する。
【０００２】
本発明は、特に、３ＧＰＰ（第３世代パートナーシッププロジェクト）によって標準化されている３ＧＰＰ  ＬＴＥ−Ａシステムに適用することができる。
【背景技術】
【０００３】
３ＧＰＰ  ＬＴＥ（３ＧＰＰロングタームエボリューション）
ＷＣＤＭＡ無線アクセス技術をベースとする第３世代の移動通信システム（３Ｇ）（例えばＵＭＴＳ（ユニバーサル移動通信システム））は、現在、世界中で広範な規模で配備されている。この技術を機能強化あるいは発展・進化させるうえでの最初のステップとして、高速下りリンクパケットアクセス（ＨＳＤＰＡ）と、エンハンスト上りリンク（高速上りリンクパケットアクセス（ＨＳＵＰＡ）とも称する）とが導入され、これにより、極めて競争力の高い無線アクセス技術が提供されている。
【０００４】
ユーザからのますます増大する需要に対応し、新しい無線アクセス技術に対する競争力を確保する目的で、３ＧＰＰは、ロングタームエボリューション（ＬＴＥ）と称される新しい移動通信システムを導入した。ＬＴＥは、今後１０年間にわたり、データおよびメディアの高速伝送ならびに大容量の音声サポートに要求されるキャリアを提供するように設計されている。高いビットレートを提供する能力は、ＬＴＥにおける重要な方策である。ＬＴＥに関する作業項目（ＷＩ）の仕様は、Ｅ−ＵＴＲＡ（Evolved UMTS Terrestrial Radio Access（ＵＴＲＡ）：進化したＵＭＴＳ地上無線アクセス）およびＥ−ＵＴＲＡＮ（Evolved UMTS terrestrial Radio Access Network：進化したＵＭＴＳ地上無線アクセスネットワーク）と称され、最終的にリリース８（ＬＴＥリリース８）として公開される。ＬＴＥシステムは、パケットベースの効率的な無線アクセスおよび無線アクセスネットワークであり、ＩＰベースの全機能を低待ち時間（レイテンシ）および低コストにおいて提供する。詳細なシステム要件は、非特許文献１（http://www.3gpp.orgにおいて入手可能であり、参照によって本明細書に組み込まれている）に記載されている。
【０００５】
ＬＴＥ（リリース８）におけるコンポーネントキャリアの構造
３ＧＰＰ  ＬＴＥ（リリース８）の下りリンクコンポーネントキャリアは、時間−周波数領域において、いわゆるサブフレームに分割されている。３ＧＰＰ  ＬＴＥ（リリース８）では、図１に示したように、各サブフレームが２つの下りリンクスロットに分割されており、第１の下りリンクスロットは、最初のいくつかのＯＦＤＭシンボルにおける制御チャネル領域（ＰＤＣＣＨ領域）を含んでいる。各サブフレームは、時間領域における特定の数のＯＦＤＭシンボルからなり（３ＧＰＰ  ＬＴＥ（リリース８）では１２個または１４個のＯＦＤＭシンボル）、ＯＦＤＭシンボルそれぞれが、コンポーネントキャリアの帯域幅全体を範囲としている。したがって、サブフレームそれぞれは、２・ＮＤＬｓｙｍｂ個の変調シンボルの複数のセットからなり、図２にも示したように、各セットは、ＮＤＬＲＢ×ＮＲＢｓｃ個のそれぞれのサブキャリア上で送信される。
【０００６】
例えば、３ＧＰＰ  ＬＴＥ（ロングタームエボリューション）において使用される、例えばＯＦＤＭを採用するマルチキャリア通信システムを考えると、スケジューラによって割り当てることのできるリソースの最小単位は、１つの「リソースブロック」（または「物理リソースブロック」、略してＰＲＢ）である。物理リソースブロックは、図２に例示的に示したように、時間領域におけるＮＤＬｓｙｍｂ個の連続するＯＦＤＭシンボルと、周波数領域におけるＮＲＢｓｃ個の連続するサブキャリアとして定義される。下りリンクリソースは、慣習的に、リソースブロックペア（または物理リソースブロック（ＰＲＢ）ペア）として割り当てられる。リソースブロックペアは、サブフレームの同じサブキャリア上の２個のリソースブロックからなり、すなわち、周波数領域におけるＮＲＢｓｃ個の連続するサブキャリアと、時間領域におけるサブフレームの２・ＮＤＬｓｙｍｂ個の変調シンボル全体を範囲とする。ＮＤＬｓｙｍｂは、６または７のいずれかであり、したがってサブフレームは合計で１２個または１４個のＯＦＤＭシンボルを有する。
【０００７】
したがって、３ＧＰＰ  ＬＴＥ（リリース８）においては、物理リソースブロックは、ＮＤＬｓｙｍｂ×ＮＲＢｓｃ個のリソース要素からなり、時間領域における１スロットと、周波数領域における１８０ｋＨｚに対応する（下りリンクリソースグリッドに関するさらなる詳細については、例えば非特許文献２を参照）（http://www.3gpp.orgにおいて入手可能であり、参照によって本明細書に組み込まれている）。
【０００８】
値ＮＤＬＲＢは、セルにおいて設定されている下りリンク送信帯域幅に依存し、関係ＮｍｉｎＤＬＲＢ≦ＮＤＬＲＢ≦ＮｍａｘＤＬＲＢを満たす。現時点では、ＮｍｉｎＤＬＲＢ＝６、ＮｍａｘＤＬＲＢ＝１１０であり、これらは、３ＧＰＰ  ＬＴＥ（リリース８）および３ＧＰＰ  ＬＴＥ−Ａ（リリース１０）（後述する）における仕様の現在のバージョンによってサポートされている最小および最大の下りリンク帯域幅を表す。ＮＲＢｓｃは、１リソースブロック内のサブキャリアの数である。通常のサイクリックプレフィックスのサブフレーム構造の場合、３ＧＰＰ  ＬＴＥ（リリース８）および３ＧＰＰ  ＬＴＥ−Ａ（リリース１０）における３ＧＰＰ仕様の現在のバージョンでは、ＮＲＢｓｃ＝１２、ＮＤＬｓｙｍｂ＝７である。
【０００９】
ＭＢＳＦＮ動作においては、ユーザ機器は、複数のセルからの同期された信号を受信して合成する。ＭＢＳＦＮ受信を行う目的で、ユーザ機器は、ＭＢＳＦＮ基準信号（ＭＢＳＦＮ  ＲＳ）に基づいて個別のチャネル推定を実行する。ＭＢＳＦＮ  ＲＳと他の基準信号（ＲＳ）とが同じサブフレーム内に混在することを回避する目的で、ＭＢＳＦＮ送信用に特定のサブフレーム（ＭＢＳＦＮサブフレームとして公知である）が予約されている。
【００１０】
サブフレームの中の最初の最大２個のＯＦＤＭシンボルは、非ＭＢＳＦＮ送信用に予約されており、残りのＯＦＤＭシンボルがＭＢＳＦＮ送信に使用される。最初の最大２個のＯＦＤＭシンボルにおいては、上りリンクリソース割当てのためのＰＤＣＣＨと、ＰＨＩＣＨとを送信することができ、セルに固有な基準信号は、非ＭＢＳＦＮサブフレームと同じである。
【００１１】
１つのセルにおけるＭＢＳＦＮサブフレームのパターンは、そのセルのシステム情報（ＳＩ）においてブロードキャストされる。ＭＢＳＦＮを受信することのできないユーザ機器は、最初の最大２個のＯＦＤＭシンボルを復号化し、残りのＯＦＤＭシンボルを無視する。
【００１２】
ＭＢＳＦＮサブフレームの構成では、１０ｍｓ周期と４０ｍｓ周期の両方がサポートされる。さらに、サブフレーム＃０、＃４、＃５、＃９は、ＭＢＳＦＮサブフレームとして構成することができない。
【００１３】
下りリンク物理チャネルの一般的な構造
図６は、非特許文献２の第６．３節による、３ＧＰＰ  ＬＴＥ（リリース８）における一般的な下りリンクのベースバンド信号処理を例示的に示している。ＬＴＥの下りリンクに関するさらなる詳細については、非特許文献２の第６節に記載されている。符号化されたビットのブロックが最初にスクランブルされる。１つのサブフレームにおいて最大２つの符号語を送信することができる。
【００１４】
一般的には、符号化されたビットをスクランブルすることにより、受信器側の復号化において、チャネル符号によって提供される処理利得を完全に利用できる。符号語ごとに、隣接するセルに対して異なるスクランブリングシーケンスを適用することによって、干渉信号がランダム化され、チャネル符号によって提供される処理利得が完全に利用される。符号語ごとに、スクランブルされたビットはデータ変調器を使用して複素変調シンボルのブロックに変換される。ＬＴＥの下りリンクによってサポートされる一連の変調方式として、ＱＰＳＫ、１６−ＱＡＭ、６４−ＱＡＭが挙げられ、これらはそれぞれ変調シンボルあたり２個、４個、６個のビットに対応する。
【００１５】
レイヤ（層）マッピングおよびプリコーディングは、ＭＩＭＯアプリケーションに関連する。送信される符号語それぞれの複素変調シンボルを、１層または複数の層にマッピングする。ＬＴＥでは、最大４本の送信アンテナがサポートされる。アンテナのマッピングは、マルチアンテナ方式（例えば、送信ダイバーシチ、ビームフォーミング、空間多重化）が提供されるように、さまざまな方法で設定することができる。さらには、各アンテナで送信されるシンボルを、スケジューラによって送信用に割り当てられる一連のリソースブロック上のリソース要素に、リソースブロックマッパー（resource block mapper）がマッピングする。リソースブロックの選択は、チャネル品質情報に依存する。
【００１６】
下りリンク制御シグナリングは、次の３種類の物理チャネルによって行われる。
−  ＰＣＦＩＣＨ：サブフレームの中で制御シグナリングに使用されるＯＦＤＭシンボルの数（すなわち制御チャネル領域のサイズ）を示す。
−  ＰＨＩＣＨ：上りリンクデータ送信に関連付けられる下りリンクＡＣＫ／ＮＡＣＫを伝える。
−  ＰＤＣＣＨ：下りリンクスケジューリング割当ておよび上りリンクスケジューリング割当てを伝える。
【００１７】
３ＧＰＰ  ＬＴＥにおける下りリンク受信
３ＧＰＰ  ＬＴＥ（リリース８）においては、上りリンクおよび下りリンクにおけるコンポーネントキャリアが１つのみであり、ＰＣＦＩＣＨは、下りリンクサブフレームの制御シグナリング領域の中の既知の位置において、既知の変調・符号化方式を使用して送られる。ユーザ機器に割り当てられる下りリンクリソースを求めるステップは、サブフレームの制御シグナリング領域のサイズ（すなわちサブフレームにおいて制御シグナリングに使用されるＯＦＤＭシンボルの数）に依存するため、ユーザ機器は、シグナリングされたＰＣＦＩＣＨ値（すなわちサブフレームにおいて制御シグナリングに使用されるＯＦＤＭシンボルの実際の数）を取得する目的で、ＰＣＦＩＣＨを復号化する必要がある。
【００１８】
ユーザ機器がＰＣＦＩＣＨを復号化できない、または誤ったＰＣＦＩＣＨ値を取得した場合、そのようなＰＣＦＩＣＨの検出エラーの結果として、ユーザ機器は、制御シグナリング領域に含まれている第１層／第２層制御シグナリング（ＰＤＣＣＨ）を正しく復号化することができず、したがって、ＰＤＣＣＨに含まれているすべてのリソース割当てが失われる。
【００１９】
物理下りリンク制御チャネル（ＰＤＣＣＨ）および物理下りリンク共有チャネル（ＰＤＳＣＨ）
物理下りリンク制御チャネル（ＰＤＣＣＨ）は、下りリンクデータ送信または上りリンクデータ送信のためのリソースを割り当てるスケジューリンググラントを伝える。各スケジューリンググラントは、制御チャネル要素（ＣＣＥ）に基づいて定義される。各ＣＣＥは、一連のリソース要素（ＲＥ）に対応する。３ＧＰＰ  ＬＴＥにおいては、１つのＣＣＥは９個のリソース要素グループ（ＲＥＧ）からなり、１つのＲＥＧは（周波数領域における）４つの連続するリソース要素からなる（基準信号となりうるリソース要素を除く）。
【００２０】
ユーザ機器へのＰＤＣＣＨは、サブフレーム内の最初のＮＰＤＣＣＨｓｙｍｂ個のＯＦＤＭシンボル（ＰＣＦＩＣＨによって定義される１個、２個、または３個のＯＦＤＭシンボル）で送信される。時間領域におけるＮＰＤＣＣＨｓｙｍｂ個のＯＦＤＭシンボルと、周波数領域におけるＮＤＬＲＢ×ＮＲＢｓｃ個のサブキャリアによって占有される領域は、ＰＤＣＣＨ領域または制御チャネル領域とも称される。時間領域における残りのＮＰＤＳＣＨｓｙｍｂ＝２・Ｎｓｙｍｂ−ＮＰＤＣＣＨｓｙｍｂ個のＯＦＤＭシンボルと、周波数領域におけるＮＤＬＲＢ×ＮＲＢｓｃ個のサブキャリアによって占有される領域は、ＰＤＳＣＨ領域または共有チャネル領域とも称される（後述する）。
【００２１】
物理下りリンク共有チャネル（ＰＤＳＣＨ）のための下りリンクグラントの場合、ＰＤＣＣＨは、同じサブフレーム内の（ユーザ）データのためのＰＤＳＣＨリソースを割り当てる。サブフレームの中のＰＤＣＣＨ制御チャネル領域は、一連のＣＣＥからなり、サブフレームの制御領域におけるＣＣＥの総数は、時間・周波数制御リソース全体に分散される。制御チャネルの符号化率を効果的に下げるため、複数のＣＣＥを組み合わせることができる。さまざまな符号化率が達成されるように、ツリー構造を使用する所定の方法においてＣＣＥが組み合わされる。
【００２２】
３ＧＰＰ  ＬＴＥにおいては、ＰＤＣＣＨは、１個、２個、４個、８個のＣＣＥの集合（アグリゲーション）とすることができる。制御チャネルの割当てに利用可能なＣＣＥの数は、いくつかの要因（例えば、キャリア帯域幅、送信アンテナの数、制御に使用されるＯＦＤＭシンボルの数、ＣＣＥのサイズ）によって決まる。サブフレームの中で複数のＰＤＣＣＨを送信することができる。
【００２３】
トランスポートチャネルのレベルでは、ＰＤＣＣＨを介して送信される情報は、第１層／第２層制御シグナリングとも称される。第１層／第２層制御シグナリングは、各ユーザ機器（ＵＥ）を対象として下りリンクで送信される。制御シグナリングは、通常、サブフレームの中で下りリンク（ユーザ）データと一緒に多重化される（ユーザ割当てがサブフレーム単位で変化しうるものと想定する）。なお一般的には、ユーザ割当てがＴＴＩ（送信時間間隔）ベースで実行されることもあり、この場合、（時間領域における）ＴＴＩ長は、１つまたは複数のサブフレームと同等であることに留意されたい。ＴＴＩ長は、サービスエリア内ですべてのユーザにおいて一定とする、ユーザごとに異なる、あるいはユーザごとに動的とすることもできる。第１層／第２層制御シグナリングは、一般的にはＴＴＩあたり１回送信するのみでよい。
【００２４】
さらには、第１層／第２層制御シグナリングで送られるＰＤＣＣＨ情報は、一般的には、共有制御情報（ＳＣＩ：Shared Control Information）と専用制御情報（ＤＣＩ：Dedicated Control Information）に分類することができる。
【００２５】
物理下りリンク共有チャネル（ＰＤＳＣＨ）は、１つのサブフレームの中の、ＰＤＣＣＨによって占有されていない残りのＯＦＤＭシンボルにマッピングされる。ＰＤＳＣＨリソースは、各サブフレームにおいてリソースブロックを単位としてユーザ機器に割り当てられる。
【００２６】
図８は、通常のサブフレーム（時間領域における２・Ｎｓｙｍｂ＝１４個のＯＦＤＭシンボルを有する）（すなわちリソースブロックペア（拡大図を参照））内でのＰＤＣＣＨとＰＤＳＣＨの例示的なマッピングを示している。最初のＮＰＤＣＣＨｓｙｍｂ＝２個のＯＦＤＭシンボル（ＰＤＣＣＨ領域）は、第１層／第２層制御シグナリング（すなわちＰＤＣＣＨのシグナリング）に使用され、残りのＮＰＤＳＣＨｓｙｍｂ＝１２個のＯＦＤＭシンボル（ＰＤＳＣＨ領域）は、データに使用される。すべてのサブフレームのリソースブロックペアの中で、セルに固有な基準信号ＣＲＳ（共通基準信号）が送信される。セルに固有なこれらの基準信号は、アンテナポート０〜３のうちの１つまたは複数のポートにおいて送信される。この例においては、ＣＲＳは２つのアンテナポートから送信される（Ｒ０がアンテナポート０から、Ｒ１がアンテナポート１から送信される）。
【００２７】
さらには、サブフレームは、ユーザ機器に固有な基準信号ＤＭ−ＲＳ（復調基準信号）も含んでおり、ＤＭ−ＲＳは、ＰＤＳＣＨを復調するためにユーザ機器によって使用される。ＤＭ−ＲＳは、特定のユーザ機器へのＰＤＳＣＨが割り当てられるリソースブロックの中で送信されるのみである。ＤＭ−ＲＳを備えたＭＩＭＯ（多入力多出力）をサポートする目的で、４層のＤＭ−ＲＳ層が定義されており、すなわち最大で４層のＭＩＭＯがサポートされる。図８の例においては、ＤＭ−ＲＳ層１，２，３，４がＭＩＭＯ層１，２，３，４に対応している。
【００２８】
図９は、ＰＤＣＣＨとＰＤＳＣＨがＭＢＳＦＮサブフレームにマッピングされる別の例を示している。図９の例は、図８に極めて似ているが、ＭＢＳＦＮサブフレームには共通基準信号が含まれていない。
【００２９】
下りリンクにおけるＬＴＥ物理チャネルの構造と、ＰＤＳＣＨおよびＰＤＣＣＨのフォーマットに関するさらなる情報については、非特許文献３を参照されたい。３ＧＰＰ  ＬＴＥにおける基準信号の使用およびチャネル推定に関するさらなる情報は、この文献の第８節に記載されている。
【００３０】
ＬＴＥのさらなる発展：ＬＴＥ−Ａｄｖａｎｃｅｄ（３ＧＰＰ  ＬＴＥ−Ａ）
２００８年１１月、世界無線通信会議２００７（ＷＲＣ−０７）において、ＩＭＴ−Ａｄｖａｎｃｅｄの周波数スペクトルが決定された。ＩＭＴ−Ａｄｖａｎｃｅｄのための全体的な周波数スペクトルは決定されたが、実際に利用可能な周波数帯域幅は、地域または国によって異なる。しかしながら、利用可能な周波数スペクトルのアウトラインの決定に続いて、３ＧＰＰ（第３世代パートナーシッププロジェクト）において無線インタフェースの標準化が開始された。３ＧＰＰ  ＴＳＧ  ＲＡＮ  ＃３９会合において、「Further Advancements for E-UTRA (LTE-Advanced)」に関する検討項目の記述が承認された（「リリース１０」とも称される）。この検討項目は、Ｅ−ＵＴＲＡを進化・発展させるうえで（例えば、ＩＭＴ−Ａｄｖａｎｃｅｄの要求条件を満たすために）考慮すべき技術要素をカバーしている。現在、ＬＴＥ−Ａのための２つの主要な技術要素が検討されており、以下ではこれらについて説明する。
【００３１】
ＬＴＥ−Ａ（リリース１０）では、全体的なシステム帯域幅を拡張する目的でキャリアアグリゲーションを使用し、この場合、より広い送信帯域幅（例えば、最大１００ＭＨｚ）およびスペクトルアグリゲーションをサポートするため、ＬＴＥ（リリース８）において定義されているコンポーネントキャリア（上述した図１および図２を参照）が２つ以上アグリゲートされる。一般には、１つのコンポーネントキャリアの帯域幅は２０ＭＨｚを越えないものと想定する。
【００３２】
端末は、以下のように自身の能力に応じて、１つまたは複数のコンポーネントキャリアを同時に受信する、送信する、またはその両方を行うことができる。
【００３３】
−  キャリアアグリゲーションのための受信能力もしくは送信能力またはその両方を備えた、ＬＴＥ−Ａｄｖａｎｃｅｄ（リリース１０）互換の移動端末は、複数のコンポーネントキャリア上で同時に受信する、もしくは送信する、またはその両方を行うことができる。コンポーネントキャリアあたり１個のトランスポートブロック（空間多重化が行われないとき）および１つのＨＡＲＱエンティティが存在する。
−  ＬＴＥ（リリース８）互換の移動端末は、コンポーネントキャリアの構造がリリース８の仕様に従う場合、１つのみのコンポーネントキャリア上で受信および送信を行うことができる。
【００３４】
少なくとも、アグリゲートされるコンポーネントキャリアの数が上りリンクと下りリンクとで同じであるとき、すべてのコンポーネントキャリアを、ＬＴＥ（リリース８）互換として構成することも想定される。ただし、ＬＴＥ−Ａ（リリース１０）のコンポーネントキャリアを非後方互換として構成することが除外されるものではない。したがって、上りリンクと下りリンクとで、必要であれば異なる帯域幅の異なる数のコンポーネントキャリアをアグリゲートするようにユーザ機器を構成することが可能である。
【００３５】
中継機能：
３ＧＰＰ  ＬＴＥ−ＡのＵＴＲＡＮアーキテクチャへの中継ノードの導入
ＬＴＥ−Ａにおいては、中継は、例えば高いデータレートのカバレッジを改善する、グループモビリティや一時的なネットワーク配備を向上させる、セルエッジスループットを高める、あるいは新しいエリアにカバレッジを提供するための手段として考えられる。
【００３６】
中継ノードは、ドナーセル（donor cell）を介して無線アクセスネットワークに無線接続される。中継ノードは、中継方式に応じて、ドナーセルの一部である、または自身のセルを制御することができる。中継ノードがドナーセルの一部である場合、中継ノードは、自身のセル識別情報を持たない（中継ノードＩＤは依然として持つことができる）。中継ノードが自身のセルを制御する場合、中継ノードは１つまたは複数のセルを制御し、中継ノードによって制御されるセルそれぞれに物理層の一意のセル識別情報が提供される。
【００３７】
少なくとも「タイプ１」の中継ノードが、３ＧＰＰ  ＬＴＥ−Ａに導入される。「タイプ１」の中継ノードは、以下を特徴とする中継ノードである。
【００３８】
−  中継ノードはセルを制御し、各セルは、ドナーセルとは異なる個別のセルとしてユーザ機器に認識される。
−  セルは、自身の物理セルＩＤ（３ＧＰＰ  ＬＴＥ（リリース８）に定義されている）を有するべきであり、中継ノードは、自身の同期チャネルや基準シンボルなどを送信する。
−  単一セル動作の場合、ユーザ機器は、スケジューリング情報およびＨＡＲＱフィードバックを中継ノードから直接受信し、自身の制御チャネル（ＳＲ／ＣＱＩ／ＡＣＫ）を中継ノードに送る。
−  中継ノードは、３ＧＰＰ  ＬＴＥに準拠するユーザ機器には、３ＧＰＰ  ＬＴＥに準拠する基地局装置として認識されるべきである（すなわち後方互換性である）。
−  「タイプ１」の中継ノードは、３ＧＰＰ  ＬＴＥ−Ａに準拠するユーザ機器には、能力・性能のさらなる向上が可能であるように、３ＧＰＰ  ＬＴＥに準拠する基地局装置とは異なる基地局装置として認識されるべきである。
【００３９】
図３は、３ＧＰＰ  ＬＴＥ−Ａにおける中継ノードを使用する例示的なネットワーク構造を示している。ドナー基地局装置（ｄ−ｅＮＢ）と中継ノードとの間のリンクは、中継バックホールリンクとも称される。中継ノードと、中継ノードにアタッチされているユーザ機器（ｒ−ＵＥ）との間のリンクは、中継アクセスリンクと称される。
【００４０】
基地局装置と中継ノードとの間の伝搬遅延
以下では、例示を目的として、図３に示したネットワーク構成を想定する。ドナー基地局装置は、第１層／第２層制御情報およびデータを、いわゆるマクロユーザ機器（macro-user equipment）（ＵＥ１）と中継器（中継ノード）とに送信し、中継ノードは、第１層／第２層制御情報およびデータを、いわゆる中継器ユーザ機器（relay-user equipment）（ＵＥ２）に送信する。
【００４１】
さらには、中継ノードがＴＤＤモードで動作する（すなわち送信動作と受信動作とが同時には実行されない）ものと想定すると、時間の経過に伴う概略的なエンティティの挙動は、図４に示したようになる。中継ノードが「送信」モードであるときには、ユーザ機器２（ＵＥ２）は第１層／第２層制御チャネルおよび物理下りリンク共有チャネル（ＰＤＳＣＨ）を受信する必要があり、中継ノードが「受信」モードである（すなわち中継ノードが基地局装置からの第１層／第２層制御チャネルおよびＰＤＳＣＨを受信している）ときには、中継ノードはＵＥ２に送信することができず、したがってＵＥ２は、このようなサブフレームにおいて中継ノードから何らの情報も受信することができない。
【００４２】
中継ノードにアタッチされていることをユーザ機器２自身が認識していない場合、状況はやや複雑になる。当業者には明らかであるように、中継ノードを備えていない通信システムにおいては、すべてのユーザ機器は、各サブフレームに少なくとも第１層／第２層制御信号が存在するものとつねに想定することができる。
【００４３】
したがって、中継ノードの制御下で動作するこのようなユーザ機器をサポートする目的で、中継ノードは、このような予測される挙動をすべてのサブフレームにおいて擬似的に行う必要がある。結果として、図５に示した挙動となる。中継ノードは、受信モードに切り替わる前に、各サブフレームにおいて第１層／第２層制御チャネルを送信しなければならない（ここでは、各サブフレームの最初の部分において送信するものと想定する）。さらには、中継ノードのハードウェアおよびソフトウェアを「送信」モードから「受信」モードに、または「受信」モードから「送信」モードに切り替えるために要求される「ギャップ」も示してあり、このギャップは一般にはサブフレームの一部である。図から理解できるように、基地局装置から中継ノードへの送信に利用可能な時間は、図において点線の長方形によって示したように、実際にはサブフレームの一部分のみである。３ＧＰＰリリース８においては、サブフレーム２について示したＵＥ２の挙動（すなわち第１層／第２層制御シグナリングに対応する最初の部分のみを受信する）は、このサブフレームを「ＭＢＳＦＮサブフレーム」として構成することによって達成することができる。この操作は、ＵＥ２にそのサブフレームの残りの部分を処理あるいは予測しないように知らせることを主たる目的として行われるので、このサブフレームは「フェイクＭＢＳＦＮ（fake MBSFN sub-frame）」とも称される。ＬＴＥにおいては、このような「フェイクＭＢＳＦＮ」サブフレームを送信するノードは、受信に切り替える前に、このようなサブフレームの最初の２個のＯＦＤＭシンボルを送信することが要求される。
【００４４】
図６に示したように、通常では複数の中継ノードが配備されて基地局装置に接続されているものと想定することができる。さらには、中継ノードが静止しておらず、ユーザ機器のように移動可能なことがある。例えば、中継ノードを公共輸送機関（例えばバス、列車、路面電車）に設置することができる。いずれの場合も、基地局装置と少なくとも１基の中継ノードとの間の距離は可変であり、したがって、基地局装置から中継ノードへの信号にはさまざまに異なる伝搬遅延が発生する。
【００４５】
図７は、図６の例示的な配備を使用しているとき、中継ノードの送信と基地局装置の送信とが同期しているものと想定した状況を示している（同期させる理由として、例えば、ユーザ機器が基地局装置と中継ノードとの間で容易にハンドオーバーする必要がある場合、あるいは同時マルチポイント送信の目的において有利である）。フェイクＭＢＳＦＮサブフレームの最初の２個のＯＦＤＭシンボルについては、基地局装置、中継ノード１（ＲＮ１）、および中継ノード２（ＲＮ２）は、同時に送信する。次に、中継ノードでは、受信モードに切り替えるための第１のギャップが要求され、それに続いて、基地局装置からの送信信号をサブフレームの終了直前まで受信する。これらの中継ノードでは、サブフレームの終了直前において、次のサブフレームの先頭より前に再び送信モードに切り替わるための第２のギャップが要求される。
【００４６】
図から理解できるように、中継ノードでは、ギャップの長さと、基地局装置とＲＮ１の間の信号および基地局装置とＲＮ２の間の信号の伝搬遅延とに依存して、基地局装置によって送信された一連のＯＦＤＭシンボルのうち、限られた、少なくとも部分的に異なる一連のＯＦＤＭシンボルしか受信することができない。ＲＮ１の場合、ＯＦＤＭシンボル＃１の受信がギャップと重なり、ＯＦＤＭシンボル＃１２の受信も同様である。ＲＮ２の場合、ＯＦＤＭシンボル＃２の受信がギャップと重なり、ＯＦＤＭシンボル＃１３の受信も同様である。ＲＮ１は、ＯＦＤＭシンボル＃２〜＃１１を完全に受信することができ、ＲＮ２は、ＯＦＤＭシンボル＃３〜＃１２を完全に受信することができる。中継ノードの受信器として、費用効果の高い単純な受信器を想定すると、一部を受信できないＯＦＤＭシンボルを使用することはできず、なぜなら、このようなＯＦＤＭシンボルには多くの干渉が含まれ、したがって壊れたデータとみなされるためである。
【００４７】
このように、中継ノードは、基地局装置によって送信されるサブフレームの最初の部分（通常では第１層／第２層制御情報を伝える）を検出することができないものと想定することができる。したがって、中継ノードに送信する基地局装置は、第１層／第２層制御情報を中継ノードに伝える目的に、中継ノードが受信できるサブフレーム内のＲ−ＰＤＣＣＨ領域内のＯＦＤＭシンボルのみを使用することができる。
【００４８】
中継バックホールサブフレーム
基地局装置と中継ノードとの間のリンクが、中継ノードとユーザ機器との間のリンクと同じ周波数スペクトルにおいて動作する場合、基地局装置と中継ノードの間の送信と、中継ノードとユーザ機器の間の送信とを、同じ周波数リソースにおいて同時に行うことが可能ではないことがあり、なぜなら、中継ノードにおいて送出される信号と入ってくる信号とが十分に分離されていない限りは、中継ノードの送信器と受信器とが干渉するためである。したがって、中継ノードがドナー基地局装置（ｄ−ｅＮＢ）に送信するとき、その中継ノードは、自身にアタッチされているユーザ機器（ｒ−ＵＥ）からの信号を受信することができない。同様に、図４および図５に関連して上述したように、中継ノードがドナー基地局装置（ｄ−ｅＮＢ）から受信するとき、その中継ノードは、自身にアタッチされているユーザ機器（ｒ−ＵＥ）に送信することができない。
【００４９】
したがって、中継バックホールリンク（基地局装置と中継ノードとの間のリンク）と、中継アクセスリンク（中継ノードとユーザ機器との間のリンク）との間で、サブフレームを分ける。現在、以下が合意されている。
【００５０】
−  中継バックホール下りリンクサブフレーム（この期間中は、基地局装置から中継ノードへの下りリンクバックホール送信を行うことができる）は、半静的に割り当てられる。
−  中継バックホール上りリンクサブフレーム（この期間中は、中継ノードから基地局装置への上りリンクバックホール送信を行うことができる）は、半静的に割り当てられる、または、ＨＡＲＱタイミングによって中継バックホール下りリンクサブフレームから暗黙的に導かれる。
【００５１】
中継バックホール上りリンクサブフレームにおいては、中継ノードはドナー基地局装置に送信し、ｒ−ＵＥは、中継器からの送信を予期しない。ｒ−ＵＥにおける後方互換性をサポートする目的で、中継ノードはバックホール下りリンクサブフレームをＭＢＳＦＮサブフレームとして構成する。図５に示したように、中継バックホール下りリンクサブフレームは、２つの部分からなる。最初のＯＦＤＭシンボル（最大２個）において、中継ノードは、通常のＭＢＳＦＮサブフレームの場合のようにｒ−ＵＥに送信する。サブフレームの残りの部分においては、中継ノードはドナー基地局装置から受信し、したがって、サブフレームのこの部分においては中継ノードからｒ−ＵＥへの送信は行われない。ｒ−ＵＥは、最初のＯＦＤＭシンボル（最大２個）を受信し、サブフレームの残りの部分を無視する。
【００５２】
ＭＢＳＦＮサブフレームは、１０ｍｓまたは４０ｍｓごとに構成することができる。したがって、中継バックホール下りリンクサブフレームも、１０ｍｓおよび４０ｍｓの構成の両方をサポートする。さらに、ＭＢＳＦＮサブフレームの構成と同様に、サブフレーム＃０、＃４、＃５、＃９は、中継バックホール下りリンクサブフレームとして構成することができない。バックホール下りリンクサブフレームとして構成することが許可されていないこれらのサブフレームは、本明細書では「イリーガル下りリンクサブフレーム（illegal downlink sub-frames）」と称する。
【００５３】
中継バックホール下りリンクサブフレームは、（図８に例示的に示した）通常のサブフレーム、または（図９に例示的に示した）ＭＢＳＦＮサブフレームとすることができる。
【００５４】
３ＧＰＰのＲＡＮ１会合＃６１の結果
図５および図７に関連して上に概説したように、中継ノードは、ドナー基地局装置からの、サブフレームの最初のＯＦＤＭシンボルにおける第１層／第２層制御情報（ＰＤＣＣＨ）を受信することができない。したがって、新規の物理制御チャネル（Ｒ−ＰＤＣＣＨ）を使用して、半静的に割り当てられるサブフレームの中のリソースを、下りリンクおよび上りリンクのバックホールデータ用に、動的または「セミパーシステントに」中継ノードに割り当てる。中継ノードへの（１つまたは複数の）Ｒ−ＰＤＣＣＨは、サブフレームのＰＤＳＣＨ領域内のＲ−ＰＤＣＣＨ領域にマッピングされる。中継ノードは、サブフレームのこの領域内でＲ−ＰＤＣＣＨを受信することを予期する。時間領域においては、Ｒ−ＰＤＣＣＨ領域は、設定された下りリンクバックホールサブフレーム（configured downlink backhaul sub-frames）を範囲とする。周波数領域においては、Ｒ−ＰＤＣＣＨ領域は、上位層のシグナリングによって中継ノードに対して設定される特定のリソースブロック上に存在する。
【００５５】
中継バックホールＲ−ＰＤＣＣＨサーチスペースは、中継ノードがＲ−ＰＤＣＣＨ（上りリンクグラントおよび下りリンクグラント）の受信を予期するサブフレーム内の領域である。このスペースは、時間領域においては、設定された下りリンクバックホールサブフレーム上に存在する。周波数領域においては、上位層のシグナリングによって中継ノードに対して設定される特定の物理リソースブロック上に存在する。Ｒ−ＰＤＣＣＨは、バックホールリンクの下りリンクグラントまたは上りリンクグラントを割り当てるのに使用することができる。
【００５６】
３ＧＰＰ  ＲＡＮ作業部会１（ＲＡＮ１）の会合＃６１では、サブフレーム内のＲ−ＰＤＣＣＨ領域の設計および使用に関して、特に、下りリンクグラントサーチスペースおよび上りリンクグラントサーチスペースと、Ｒ−ＰＤＣＣＨ／Ｒ−ＰＤＳＣＨの多重化に関して、以下の決定が合意された（非特許文献４を参照）（http://www.3gpp.orgにおいて入手可能）。
【００５７】
−  下りリンクグラントサーチスペースと上りリンクグラントサーチスペースの境界は、サブフレームのスロットの境界である。下りリンクグラントはサブフレームの第１のスロットにおいてのみ送信され、上りリンクグラントは第２のスロットにおいてのみ送信される。
−  Ｒ−ＰＤＣＣＨ物理リソースブロックペア（すなわちサブフレームのＲ−ＰＤＣＣＨ領域における物理リソースブロックペア）の第２のスロットは、物理リソースブロックペアの第１のスロット内で下りリンクグラントの少なくとも一部分を受信する中継ノードへのデータチャネル（Ｒ−ＰＤＳＣＨ）に割り当てることができる。
−  中継ノードが、第１のスロット内で下りリンクグラントが検出される物理リソースブロックペアと重なるリソース割当て（グラント）を受信する場合、中継ノードは、その物理リソースブロックペアの第２のスロットに、自身へのＰＤＳＣＨデータ送信が存在するものと想定する（図１１を参照）。そうでない場合、中継ノードは、その物理リソースブロックペアの第２のスロットに、自身へのデータ送信が存在しないものと想定する（すなわちＤＣＩフォーマットの変更なし）。
−  中継ノードが第１のスロット内で下りリンクグラントの少なくとも一部分を検出するＲ−ＰＤＣＣＨ物理リソースブロックペアについては、中継ノードは、そのＲ−ＰＤＣＣＨ物理リソースブロックペアの第１のスロットはデータ送信に使用されないものと想定する。
【００５８】
図８、図９、および図１０から理解できるように、下りリンクグラント用に利用可能な、サブフレームの第１のスロットにおけるリソース要素（ＲＥ）の数は、上りリンクグラント用に利用可能な、サブフレームの第２のスロットにおけるリソース要素の数よりも少ない（使用されるアンテナの数およびＭＩＭＯ層には無関係）。利用可能な変調シンボル（すなわちリソース要素）が第１のスロットよりも第２のスロットにおいて多いため、１つの物理リソースブロックペアにおいては、上りリンクグラントに利用可能なリソース要素の数の方が、下りリンクグラントに利用可能なリソース要素の数よりも大きい。したがって、上りリンクグラントをシグナリングするのに要求される物理リソースブロックの数は、下りリンクグラントをシグナリングする場合よりも小さい（両方のグラントの符号化率（目標ＢＬＥＲ）が同じであると想定した場合）。
【００５９】
図１１に示したように、Ｒ−ＰＤＳＣＨのリソースがリソースブロックグループ単位で割り当てられるものと想定することができる。下りリンクグラントは、ビットマップを有するリソース割当てフィールドを備えており、ビットマップの各ビット位置は、ビットマップのそれぞれのビット位置にリンクされているＲＢＧ（リソースブロックグループ）（インデックス）が中継ノードに割り当てられているか否かを示している。下りリンクグラントを含んでいるＲＢＧが中継ノードに割り当てられている場合、そのＲＢＧ内の残りのリソース全体が（図１１に示したように）Ｒ−ＰＤＳＣＨに割り当てられる（すなわちこのＲＢＧにおいて上りリンクグラントをシグナリングすることができない）。その理由として、上りリンクグラントのブラインド検出に失敗すると、中継ノードが誤った割当てサイズを想定することにより、Ｒ−ＰＤＳＣＨ上の下りリンクデータが壊れるためである。
【００６０】
その一方で、図１２に示したように、別のＲＢＧ内のリソースを割り当てる、中継ノードへの下りリンクグラントを、ＲＢＧの下りリンクグラントサーチスペース内に含めることができる。同時に、サブフレームが、上りリンクグラントサーチスペース内に、中継ノードへの上りリンクグラント（中継ノードのための上りリンクリソースを割り当てる）をさらに含んでいることもできる。この場合、下りリンクグラントおよび上りリンクグラントによって占有されていないＲＢＧのリソース全体が本質的に失われ、別の目的に使用することができない。その理由として、（ＲＢＧ単位の割当てを使用するとき）このＲＢＧ内のリソースを別の中継ノードに許可することができず、なぜなら、その別の中継ノードは、このＲＢＧのリソースの一部が下りリンクグラントおよび上りリンクグラント用として他の中継ノードに割り当てられていることを認識していないためである。
【先行技術文献】
【非特許文献】
【００６１】
【非特許文献１】3GPP TR 25.913, "Requirements for Evolved UTRA (E-UTRA) and Evolved UTRAN (E-UTRAN)," version 8.0.0, January 2009
【非特許文献２】3GPP TS 36.211, "Evolved Universal Terrestrial Radio Access (E-UTRA); Physical Channels and Modulation (Release 8)", version 8.9.0, December 2009 section 6.2
【非特許文献３】St. Sesia et al., "LTE - The UMTS Long Term Evolution", Wiley & Sons Ltd., ISBN 978-0-47069716-0, April 2009 , sections 6 and 9
【非特許文献４】"Draft Report of 3GPP TSG RAN WG1 #61 v0.1.0", section 6.6
【発明の概要】
【発明が解決しようとする課題】
【００６２】
本発明の１つの目的は、受信装置にリソースを割り当てる新規の方式であって、ブラインド復号化の試行回数が減少し、したがって受信装置の処理能力およびバッテリ電力を節約することのできる方式、を提案することである。本発明の別の目的は、受信装置にリソースを割り当てる方式であって、割当て方式に起因するリソースの無駄が最小限である方式、を提案することである。さらには、本発明の別の目的は、受信装置にリソースを割り当てる方式であって、サブフレーム内のリソースの無駄が回避されるように、下りリンクグラントおよび上りリンクグラントのサイズ、したがってリソースの利用状況が考慮される方式、を提案することである。
【課題を解決するための手段】
【００６３】
この目的は、独立請求項の主題によって解決される。本発明の有利な実施形態は、従属請求項の主題である。
【００６４】
本発明の第１の態様は、サブフレーム内の上りリンクグラントサーチスペースの新規の設計を提案することである。この第１の態様によると、上りリンクグラントサーチスペースは、下りリンクグラントサーチスペースのサブセット（一部分）である。言い換えれば、周波数領域においては、上りリンクグラントサーチスペースは、下りリンクグラントサーチスペースを形成しているリソースブロックペアのサブセット上に定義される。時間領域においては、下りリンクグラントサーチスペースは、例えば、サブフレームの第１のスロット内の、サブフレームの物理リソースブロックからなることができ、上りリンクグラントサーチスペースは、例えば、サブフレームの第２のスロット内の、サブフレームの物理リソースブロックからなることができる。したがって、周波数に関しては、上りリンクグラントサーチスペースは、下りリンクグラントサーチスペースを形成しているサブフレームの物理リソースブロックのサブキャリアのサブセットを常に含んでいる（例えば、下りリンクグラントを含んでいる物理リソースブロックの周波数領域における位置は問わない）。この構成では、上りリンクグラントサーチスペースと、下りリンクグラントに使用されるリソースとを除く残りのリソースに、下りリンクデータをマッピングすることができる。
【００６５】
さらには、本発明の別の第２の態様（第１の態様の代替の実施例を提供する）によると、下りリンクグラントは、サブフレーム内の上りリンクグラントサーチスペースが（ユーザ）データを含んでいるか否かの指示情報を備えている。したがって、上りリンクグラントサーチスペースにマッピングされている（ユーザ）データが存在することを下りリンクグラントが示している場合、受信装置（例：中継ノード、移動端末）は、上りリンクグラントサーチスペース内で上りリンクグラントのブラインド検出を実行しない。
【００６６】
オプションとして、例示的な実施例においては、上りリンクグラントサーチスペースに（ユーザ）データがマッピングされていることを下りリンクグラントが示している場合、受信装置は、下りリンクグラントが、上りリンクグラントサーチスペース内のリソースを（ユーザ）データの送信用に受信装置に割り当てるものとさらに想定することができる。しかしながら、サブフレーム内の上りリンクグラントサーチスペースのリソースを別の用途に使用することもできる（例えば、別の受信装置に割り当てる）。上りリンクグラントサーチスペースにデータがマッピングされているか否かの指示情報の利点として、サブフレームが、その中の下りリンクサーチスペースおよび上りリンクグラントサーチスペース内に、下りリンクグラントと、上りリンクグラントと、（ユーザ）データとを同時に含んでいることができる。
【００６７】
上記の第１の態様および第２の態様の両方に関連するさらなる例示的な一実施例においては、上りリンクグラントサーチスペースは、下りリンクグラントサーチスペースのブラインド検出の結果に基づいて、受信装置によってさらに動的に決定される。例えば、受信装置によって下りリンクグラントサーチスペース内に下りリンクグラントが検出された場合、上りリンクグラントサーチスペースは、受信装置が下りリンクグラントサーチスペース内に下りリンクグラントを検出しない場合に受信装置によって想定される上りリンクグラントサーチスペースとは異なる（例えば、より小さい）ものとすることができる。したがって、上りリンクグラントサーチスペースのサイズは、サブフレームの下りリンクグラントサーチスペース内の下りリンクグラントの存在に依存することにおいて、動的とすることができる。
【００６８】
本発明のさらなる第３の態様は、下りリンクグラントをシグナリングするための新規の制御チャネル信号フォーマットであって、受信装置の上りリンクグラントサーチスペースに下りリンクデータがマッピングされているかを示すことのできるフォーマットを提案することである。このフォーマットは、後方互換性のフォーマットであり、リソース割当てフィールドの新規の解釈を提供する。通常、制御チャネル信号フォーマット（例えば、下りリンクグラント（Ｒ−ＰＤＣＣＨ）を定義するＤＣＩフォーマット）のリソース割当てフィールドは、ビットマップを含んでいることができ、ビットマップの各ビットは、リソースブロック（またはリソースブロックグループ）のインデックスにリンクされており、ビットマップ内のそれぞれのビット位置に対応するそれぞれのリソースブロック（またはリソースブロックグループ）が受信装置に割り当てられているか否かを示している。第３の態様によると、サブフレームの第１のスロット内で下りリンクグラントをシグナリングしている物理リソースブロックペアのリソースブロック（またはリソースブロックグループ）は、受信装置に割り当てられているものと想定する。下りリンクグラントをシグナリングするリソースブロック（またはリソースブロックグループ）に関連付けられる、リソース割当てフィールド内のビットマップのビットは、サブフレームの第２のスロット内の上りリンクグラントサーチスペースにもデータがマッピングされているか否か（すなわち受信装置が第２のスロット内で上りリンクグラントのブラインド検出を実行する必要があるか否か）をシグナリングするために使用される。
【００６９】
したがって、受信装置にＲＢＧ単位でリソースが割り当てられる場合、下りリンクグラントを含んでいるリソースブロックグループに関連付けられる、下りリンクグラントのリソース割当てフィールド内のビットマップのビットは、制御チャネル信号を含んでいるリソースブロックグループ内の上りリンクグラントサーチスペースに、受信装置へのデータがマッピングされているか否かを受信装置に示すインジケータとして使用される。
【００７０】
本発明の一実施形態は、ＯＦＤＭベースの移動通信システムのサブフレーム内で下りリンクグラントおよび上りリンクグラントの少なくとも一方を検出する方法を提供する。この方法によると、受信装置は、基地局からサブフレームを受信する。このサブフレームは、物理リソースブロックペアに論理的に分割されており、それぞれのリソースブロックペアは、サブフレームの第１のスロット内のリソースブロックと、サブフレームの第２のスロット内のリソースブロックとからなる。受信装置は、サブフレームの下りリンクグラントサーチスペース内で下りリンクグラントのブラインド検出を実行する。下りリンクグラントサーチスペースは、サブフレームの第１のスロット内の複数のリソースブロックペアの複数の物理リソースブロックからなる。
【００７１】
さらに、受信装置は、サブフレームの上りリンクグラントサーチスペース内で上りリンクグラントのブラインド検出を実行する。上りリンクグラントサーチスペースは、下りリンクグラントサーチスペースを形成している物理リソースブロックの物理リソースブロックペア、内に位置する、サブフレームの第２のスロット内の物理リソースブロック、のサブセットからなる。
【００７２】
本発明の別の代替実施形態は、同様に、ＯＦＤＭベースの移動通信システムのサブフレーム内で下りリンクグラントおよび上りリンクグラントの少なくとも一方を検出する方法を提供する。この方法においては、受信装置は、基地局からサブフレームを受信する。このサブフレームは、物理リソースブロックペアに論理的に分割されており、それぞれのリソースブロックペアは、サブフレームの第１のスロット内のリソースブロックと、サブフレームの第２のスロット内のリソースブロックとからなる。受信装置は、サブフレームの下りリンクグラントサーチスペース内で下りリンクグラントのブラインド検出を実行する。下りリンクグラントサーチスペースは、サブフレームの第１のスロット内の複数のリソースブロックペアの複数の物理リソースブロックからなる。
【００７３】
受信装置は、サブフレームの上りリンクグラントサーチスペースにマッピングされているデータが存在するかを、下りリンクグラントに基づいて判定する。受信装置は、サブフレームの上りリンクグラントサーチスペースにマッピングされているデータが存在しないものと判定された場合、サブフレームの上りリンクグラントサーチスペース内で上りリンクグラントのブラインド検出を実行し、上りリンクグラントサーチスペースは、下りリンクグラントサーチスペースを形成している物理リソースブロックの物理リソースブロックペア、内に位置する、サブフレームの第２のスロット内の物理リソースブロック、のサブセットからなる。
【００７４】
本発明のさまざまな実施形態による、以下のさらなる改良は、上に概説した２つの代替方法の両方と、前述した本発明の２つの態様の両方とに適用される。
【００７５】
１つの例示的な改良においては、上りリンクグラントサーチスペースを形成する、サブフレームの第２のスロット内の物理リソースブロックの数は、下りリンクグラントのブラインド検出の結果に基づいて決定される。したがって、サブフレーム内の上りリンクグラントサーチスペースのサイズは、例えば、受信装置において下りリンクグラントサーチスペース内に下りリンクグラントが検出されるかに依存することができる。
【００７６】
別の例示的な実施例においては、上りリンクグラントサーチスペースは下りリンクグラントサーチスペースより小さい、すなわち、上りリンクグラントサーチスペースを形成する、サブフレームの第２のスロット内の物理リソースブロックの数は、下りリンクグラントサーチスペースを形成する、サブフレームの第１のスロット内の物理リソースブロックの数よりも少ない。
【００７７】
さらには、上りリンクグラントサーチスペースを動的とすることができる。例えば、上りリンクグラントサーチスペースを、下りリンクグラントサーチスペース内の下りリンクグラントの存在に基づいて調整することができる。この動的な構成においては、下りリンクグラントサーチスペース内に下りリンクグラントが検出された場合、上りリンクグラントサーチスペースを形成する、サブフレームの第２のスロット内の物理リソースブロックの数は、下りリンクグラントサーチスペース内に下りリンクグラントが検出されない場合における、上りリンクグラントサーチスペースを形成する、サブフレームの第２のスロット内の物理リソースブロックの数よりも、少ない。
【００７８】
サブフレームの下りリンクグラントサーチスペース内に下りリンクグラントが検出された場合、受信装置は、例えば、上りリンクグラントサーチスペースが、サブフレームの第１のスロット内で下りリンクグラントが検出された物理リソースブロックの物理リソースブロックペアに属している、サブフレームの第２のスロット内の物理リソースブロック、のサブセット、からなるものと判定することができる。
【００７９】
サブフレームの下りリンクグラントサーチスペース内に下りリンクグラントが検出されない場合、受信装置は、例えば、上りリンクグラントサーチスペースが、サブフレームの第１のスロット内の下りリンクグラントサーチスペースを形成している物理リソースブロックの物理リソースブロックペアに属している、サブフレームの第２のスロット内の物理リソースブロック、のサブセット、からなるものと判定することができる。
【００８０】
本発明の別の例示的な実施形態においては、サブフレームの下りリンクグラントサーチスペースと上りリンクグラントサーチスペースとの間の関係を、さまざまな方法で定義することができる。例えば、上りリンクグラントサーチスペースを、（事前の）設定によって、または対応する制御シグナリング（例：ＲＲＣシグナリング）によって、下りリンクグラントサーチスペースを基準として定義することができる。この実施形態の例示的な一実施例においては、上りリンクグラントサーチスペースを形成する、サブフレームの第２のスロット内の物理リソースブロックの数は、上りリンクグラントサーチスペースを下りリンクグラントサーチスペースから導くことのできる制御シグナリングまたは事前に定義された規則に従って、受信装置によって決定される。
【００８１】
事前の設定の場合の一例においては、上りリンクグラントサーチスペースは、下りリンクグラントサーチスペースに含まれている物理リソースブロックの物理リソースブロックペアのうち、偶数または奇数の物理リソースブロックペアインデックスを有する物理リソースブロックペアの、サブフレームの第２のスロット内の物理リソースブロック、からなる。これに代えて、上りリンクグラントサーチスペースの物理リソースブロックペアのインデックスが偶数または奇数であるかを、制御シグナリングを使用してシグナリングすることができる。
【００８２】
別の例示的な実施例においては、上りリンクグラントサーチスペースは、下りリンクグラントサーチスペースに含まれている設定可能な数の物理リソースブロックペアの、サブフレームの第２のスロット内の物理リソースブロックからなる。この数は、制御シグナリングによって設定する、あるいは事前に定義することができる。
【００８３】
さらなる例示的な一実施形態においては、下りリンクグラントのサーチスペースを、リソースブロックグループ単位で定義することができる。オプションとして、さらに、下りリンクリソース割当て（下りリンクグラント：例えばＲ−ＰＤＣＣＨ）は、下りリンクリソース（例えばＲ−ＰＤＳＣＨ）をリソースブロックグループ単位で割り当てることができる。この例示的な実施形態においては、下りリンクグラントサーチスペースは、少なくとも１つのリソースブロックグループの物理リソースブロックによって形成されており、上りリンクグラントサーチスペースは、この少なくとも１つのリソースブロックグループ内に位置する、サブフレームの第２のスロットの物理リソースブロック、のサブセットによって形成されている。
【００８４】
この実施形態の例示的なバリエーションにおいては、下りリンクグラントはビットマップを備えている。ビットマップの各ビット位置は、物理リソースブロックグループに関連付けられており、それぞれの関連付けられている物理リソースブロックグループが、下りリンクデータ送信用に受信装置に割り当てられているかを示している。下りリンクグラントを含んでいるリソースブロックグループは、つねに受信装置に割り当てられているものとみなされる。したがって、下りリンクグラントを含んでいるリソースブロックグループに関連付けられているビットマップのビットは、下りリンクグラントを含んでいるリソースブロックグループ内の上りリンクグラントサーチスペースにマッピングされているデータが存在するか否かを示すインジケータとして使用される。
【００８５】
さらには、この実施形態の別のバリエーションにおいては、受信装置は、下りリンクグラントを含んでいるリソースブロックグループの上りリンクグラントサーチスペースにマッピングされているデータが存在しないことが、下りリンクグラントサーチスペース内で受信された下りリンクグラントに基づいて判定される場合、検出された下りリンクグラントに従って、下りリンクグラントを含んでいるリソースブロックグループの物理リソースのうち下りリンクグラントのシグナリングに使用されない物理リソース上で、下りリンクデータを受信する。
【００８６】
下りリンクグラントを含んでいるリソースブロックグループの上りリンクグラントサーチスペースにマッピングされているデータが存在しないことが、下りリンクグラントサーチスペース内で受信された下りリンクグラントに基づいて判定される場合、受信装置は、検出された下りリンクグラントに従って、下りリンクグラントを含んでいるリソースブロックグループの物理リソースのうち下りリンクグラントのシグナリングに使用されず、かつ上りリンクグラントサーチスペース内に位置していない物理リソース上で、下りリンクデータを受信する。
【００８７】
本発明の第３の態様に基づく、本発明の別の実施形態は、下りリンクリソースを受信装置に許可する制御チャネル信号を提供する（例えば、下りリンクグラント、下りリンクリソースを許可するＤＣＩフォーマット、ＰＤＣＣＨ、またはＲ−ＰＤＣＣＨ）。この制御チャネル信号は、ビットマップを組み込んでいるリソース割当てフィールドを備えており、ビットマップの各ビット位置は、サブフレームの物理リソースブロックグループに関連付けられており、それぞれの関連付けられている物理リソースブロックグループが、下りリンクデータ送信用に受信装置に割り当てられているかを示す。制御チャネル信号は、制御チャネル信号が受信装置に送信されるリソースブロックグループを、つねに受信装置に割り当て、制御チャネル信号を含んでいるリソースブロックグループに関連付けられているビットマップのビットは、制御チャネル信号を含んでいるリソースブロックグループ内の上りリンクグラントサーチスペースにマッピングされている、受信装置へのデータが存在するか否かを、受信装置に示すインジケータとして使用される。
【００８８】
本発明のさらなる実施形態は、本発明の態様をハードウェアもしくはソフトウェアまたはその両方において実施することに関する。本発明の一実施形態は、制御チャネル信号を生成する処理部と、制御チャネル信号を受信装置に送信する送信器部とを備えた送信装置に関する。
【００８９】
別の実施形態は、ＯＦＤＭベースの移動通信システムのサブフレーム内で下りリンクグラントおよび上りリンクグラントの少なくとも一方を検出する受信装置に関する。この受信装置は、基地局からサブフレームを受信する受信器部であって、サブフレームが物理リソースブロックペアに論理的に分割されており、それぞれのリソースブロックペアが、サブフレームの第１のスロット内のリソースブロックと、サブフレームの第２のスロット内のリソースブロックとからなる、受信器部と、サブフレームの下りリンクグラントサーチスペース内で下りリンクグラントのブラインド検出を実行する復号化部であって、下りリンクグラントサーチスペースが、サブフレームの第１のスロット内の複数のリソースブロックペアの複数の物理リソースブロックからなる、復号化部と、を備えている。さらには、この受信装置の復号化部は、サブフレームの上りリンクグラントサーチスペース内で上りリンクグラントのブラインド検出をさらに実行し、上りリンクグラントサーチスペースは、下りリンクグラントサーチスペースを形成している物理リソースブロックの物理リソースブロックペア、内に位置する、サブフレームの第２のスロット内の物理リソースブロック、のサブセットからなる。
【００９０】
本発明のさらなる代替実施形態は、ＯＦＤＭベースの移動通信システムのサブフレーム内で下りリンクグラントおよび上りリンクグラントの少なくとも一方を検出する受信装置に関する。この受信装置は、基地局からサブフレームを受信する受信器部であって、サブフレームが物理リソースブロックペアに論理的に分割されており、それぞれのリソースブロックペアが、サブフレームの第１のスロット内のリソースブロックと、サブフレームの第２のスロット内のリソースブロックとからなる、受信器部と、サブフレームの下りリンクグラントサーチスペース内で下りリンクグラントのブラインド検出を実行する復号化部であって、下りリンクグラントサーチスペースが、サブフレームの第１のスロット内の複数の物理リソースブロックからなる、復号化部と、を備えている。さらに、この受信装置は、サブフレームの上りリンクグラントサーチスペースにマッピングされているデータが存在するかを、下りリンクグラントに基づいて判定する処理部を備えている。この受信装置の復号化部は、サブフレームの上りリンクグラントサーチスペースにマッピングされているデータが存在しないものと判定された場合、サブフレームの上りリンクグラントサーチスペース内で上りリンクグラントのブラインド検出をさらに実行する。上りリンクグラントサーチスペースは、下りリンクグラントサーチスペースを形成している物理リソースブロックの物理リソースブロックペア、内に位置する、サブフレームの第２のスロット内の物理リソースブロック、のサブセットからなる。
【００９１】
本発明の別の例示的な実施形態は、命令を格納しているコンピュータ可読媒体であって、命令が受信装置のプロセッサによって実行されたとき、それに起因して、受信装置が、基地局からサブフレームを受信するステップであって、サブフレームが物理リソースブロックペアに論理的に分割されており、それぞれのリソースブロックペアが、サブフレームの第１のスロット内のリソースブロックと、サブフレームの第２のスロット内のリソースブロックとからなる、ステップと、サブフレームの下りリンクグラントサーチスペース内で下りリンクグラントのブラインド検出を実行するステップであって、下りリンクグラントサーチスペースが、サブフレームの第１のスロット内の複数のリソースブロックペアの複数の物理リソースブロックからなる、ステップと、サブフレームの上りリンクグラントサーチスペース内で上りリンクグラントのブラインド検出を実行するステップであって、上りリンクグラントサーチスペースが、下りリンクグラントサーチスペースを形成している物理リソースブロックの物理リソースブロックペア、内に位置する、サブフレームの第２のスロット内の物理リソースブロック、のサブセットからなる、ステップと、によって、ＯＦＤＭベースの移動通信システムのサブフレーム内で下りリンクグラントおよび上りリンクグラントの少なくとも一方を検出する、コンピュータ可読媒体、を提供する。
【００９２】
本発明の別の実施形態によるコンピュータ可読媒体は、命令を格納しており、命令が受信装置のプロセッサによって実行されたとき、それに起因して、受信装置は、基地局からサブフレームを受信するステップであって、サブフレームが物理リソースブロックペアに論理的に分割されており、それぞれのリソースブロックペアが、サブフレームの第１のスロット内のリソースブロックと、サブフレームの第２のスロット内のリソースブロックとからなる、ステップと、サブフレームの下りリンクグラントサーチスペース内で下りリンクグラントのブラインド検出を実行するステップであって、下りリンクグラントサーチスペースが、サブフレームの第１のスロット内の複数の物理リソースブロックからなる、ステップと、サブフレームの上りリンクグラントサーチスペースにマッピングされているデータが存在するかを、下りリンクグラントに基づいて判定し、サブフレームの上りリンクグラントサーチスペースにマッピングされているデータが存在しないものと判定された場合、サブフレームの上りリンクグラントサーチスペース内で上りリンクグラントのブラインド検出を実行するステップと、によって、ＯＦＤＭベースの移動通信システムのサブフレーム内で下りリンクグラントおよび上りリンクグラントの少なくとも一方を検出する。この実施形態においては、上りリンクグラントサーチスペースは、下りリンクグラントサーチスペースを形成している物理リソースブロックの物理リソースブロックペア、内に位置する、サブフレームの第２のスロット内の物理リソースブロック、のサブセットからなる。
【００９３】
以下では、本発明について、添付の図面を参照しながらさらに詳しく説明する。図面において類似または対応する細部には同じ参照数字を付してある。
【図面の簡単な説明】
【００９４】
【図１】３ＧＰＰ  ＬＴＥ（リリース８）において定義されている、下りリンクコンポーネントキャリアのサブフレームの一般的な構造を示している。
【図２】３ＧＰＰ  ＬＴＥ（リリース８）において定義されている、サブフレームの２つの下りリンクスロットの一方の例示的な下りリンクリソースグリッドを示している。
【図３】ドナー基地局装置（ｄ−ｅＮＢ）、中継ノード（ＲＮ）、および２基のユーザ機器（ＵＥ１およびＵＥ２）による、例示的なネットワーク構成を示している。
【図４】図３におけるエンティティの例示的な挙動を、送信モードおよび受信モード時の動作に関連して示している。
【図５】図３におけるエンティティの後方互換性の例示的な挙動を、機能強化された通信システム（例えば３ＧＰＰ  ＬＴＥ−Ａ（リリース１０））における送信モードおよび受信モード時の動作に関連して示している。
【図６】ドナー基地局装置（ｄ−ｅＮＢ）、複数の中継ノード（ＲＮ１およびＲＮ２）、および複数のユーザ機器による、別の例示的なネットワーク構成を示している。
【図７】複数の異なる中継ノードにおける、ドナー基地局装置からのサブフレームの受信についてと、中継ノードの送信窓（transmission window）および受信窓（reception window）とを例示的に示しており、この場合、ドナー基地局装置（ｄ−ｅＮＢ）と中継ノード（ＲＮ１およびＲＮ２）との間の送信信号の可変の伝搬遅延と、中継ノードにおけるサブフレーム内での送信モードと受信モードとの間の切替えとが考慮されている。
【図８】３ＧＰＰ  ＬＴＥ（リリース８）および３ＧＰＰ  ＬＴＥ−Ａ（リリース１０）において定義されており、本発明のいくつかの実施形態において使用される、通常のサブフレームおよびＭＢＳＦＮサブフレームの構造と、各サブフレームの物理リソースブロックペアとを、例示的に示している。
【図９】３ＧＰＰ  ＬＴＥ（リリース８）および３ＧＰＰ  ＬＴＥ−Ａ（リリース１０）において定義されており、本発明のいくつかの実施形態において使用される、通常のサブフレームおよびＭＢＳＦＮサブフレームの構造と、各サブフレームの物理リソースブロックペアとを、例示的に示している。
【図１０】サブフレームのリソースブロックグループ内の下りリンクグラントサーチスペース（ＤＬグラントサーチスペース）および上りリンクグラントサーチスペース（ＵＬグラントサーチスペース）の例示的な定義を示している。
【図１１】図１０に示した下りリンクグラントサーチスペースおよび上りリンクグラントサーチスペースの定義を使用したときの、サブフレームのリソースブロックグループの可能なリソース利用状況を示している。
【図１２】図１０に示した下りリンクグラントサーチスペースおよび上りリンクグラントサーチスペースの定義を使用したときの、サブフレームのリソースブロックグループの可能なリソース利用状況を示している。
【図１３】本発明の実施形態による、サブフレームのリソースブロックグループ内の下りリンクグラントサーチスペース（ＤＬグラントサーチスペース）および上りリンクグラントサーチスペース（ＵＬグラントサーチスペース）の例示的な定義を示している。
【図１４】図１３に示した下りリンクグラントサーチスペースおよび上りリンクグラントサーチスペースの定義を採用したときの、下りリンクグラントがシグナリングされるリソースブロックグループのリソース利用状況を例示的に示している。
【図１５】本発明の例示的な実施形態による、上りリンクグラントサーチスペースを動的に決定する方式を採用したときの、下りリンクグラントがシグナリングされるリソースブロックグループのリソース利用状況を例示的に示している。
【図１６】本発明の実施形態による、下りリンクグラントがシグナリングされるリソースブロックグループの例示的なリソース利用状況を示しており、この場合、下りリンクグラントは、（図１４または図１５に示した）リソースブロックグループの上りリンクグラントサーチスペースに、データがマッピングされているかを示すインジケータを備えている。
【図１７】本発明の別の実施形態による、下りリンクグラントサーチスペースを基準とする上りリンクグラントサーチスペースの別の例示的な定義を示している。
【図１８】本発明の例示的な実施形態による、下りリンクグラントサーチスペース（ＤＬグラントサーチスペース）および上りリンクグラントサーチスペース（ＵＬグラントサーチスペース）の例示的な定義を示しており、この場合、下りリンクグラントサーチスペースおよび上りリンクグラントサーチスペースが物理リソースブロック単位で定義されている。
【図１９】本発明の実施形態による、図１８に示した下りリンクグラントサーチスペース内に含まれている下りリンクグラントによるリソース割当てがリソースブロック単位で行われる場合の、例示的なリソース利用状況を示している。
【図２０】本発明の異なる実施形態による、受信装置の動作を記述した例示的な流れ図を示している。
【図２１】本発明の異なる実施形態による、受信装置の動作を記述した例示的な流れ図を示している。
【図２２】本発明の実施形態による、複数の受信装置の下りリンクグラントがインターリーブされているリソースブロックグループのリソース利用状況を例示的に示している。
【発明を実施するための形態】
【００９５】
以下では、本発明のさまざまな実施形態について説明する。実施形態のほとんどは、上の背景技術のセクションで説明した３ＧＰＰ  ＬＴＥ（リリース８）および３ＧＰＰ  ＬＴＥ−Ａ（リリース１０）の移動通信システムによる、直交シングルキャリア上りリンク無線アクセス方式に関連して説明してあるが、これは例示を目的としているにすぎない。本発明は、例えば、前述した３ＧＰＰ  ＬＴＥ（リリース８）および３ＧＰＰ  ＬＴＥ−Ａ（リリース１０）通信システムなどの移動通信システムと組み合わせて有利に使用できるが、本発明は、この特定の例示的な通信ネットワークにおける使用に限定されないことに留意されたい。本明細書に説明されている本発明の態様は、特に、３ＧＰＰ  ＬＴＥ−Ａ（リリース１０）通信システムにおける中継ノードへの上りリンクグラントおよび下りリンクグラント（Ｒ−ＰＤＣＣＨ）のサーチスペースを定義する目的と、下りリンクグラントサーチスペース（特に、その個々のリソースブロックグループ）にマッピングされるＲ−ＰＤＣＣＨおよびＲ−ＰＤＳＣＨデータに関する効率的なリソース利用を提供する目的とに、使用することができる。
【００９６】
背景技術のセクションにおける説明は、本明細書に記載した主として３ＧＰＰ  ＬＴＥ（リリース８）および３ＧＰＰ  ＬＴＥ−Ａ（リリース１０）に関連する例示的な実施形態を深く理解することを目的としており、移動通信ネットワークにおけるプロセスおよび機能の、説明した特定の実施形態に本発明を制限するものではないことを理解されたい。
【００９７】
本発明の第１の態様は、サブフレーム内の上りリンクグラントサーチスペースの新規の設計を提案することである。上りリンクグラントサーチスペースは、下りリンクグラントサーチスペースのサブセットとして定義される。周波数リソースに関して（すなわち周波数領域において）、上りリンクグラントサーチスペースは、下りリンクグラントサーチスペースを形成しているリソースブロックペアのサブセット上に定義される。なお、時間領域においては、下りリンクグラントサーチスペースは、例えば、サブフレームの第１のスロット内の、サブフレームの物理リソースブロックからなることができ、上りリンクグラントサーチスペースは、例えば、サブフレームの第２のスロット内の、サブフレームの物理リソースブロックからなることができる。したがって、上りリンクグラントサーチスペースが下りリンクグラントサーチスペースのサブセットであるという表現は、周波数領域における２つのサーチスペースの定義を対象としており、時間領域においては２つのサーチスペースは個別である。
【００９８】
したがって、周波数に関しては、上りリンクグラントサーチスペースは、下りリンクグラントサーチスペースを形成しているサブフレームの物理リソースブロックのサブキャリアのサブセットをつねに含んでいる（例えば、物理リソースブロックの周波数領域における位置は問わない）。なお一般的には、下りリンクグラントのサーチスペースとして局在型のサーチスペースを定義することも可能であり、これは例えば、周波数領域における隣接する物理リソースブロックを範囲とするように下りリンクグラントサーチスペースを定義することによって、または、より詳細な実施例においては、１つまたは複数のリソースブロックグループに属している（サブフレームの第１のスロット内の）物理リソースブロックとして、下りリンクグラントサーチスペースを定義することによる。局在型のサーチスペースを定義することは、周波数選択性スケジューリングにおいて有利であり得る。
【００９９】
これに代えて、下りリンクグラントサーチスペースを分散型として定義することもでき、すなわち、下りリンクグラントサーチスペースを形成する（サブフレームの第１のスロット内の）物理リソースブロックを、サブフレームの周波数範囲内に分散させることができる（例えば特定の間隔をあけて配置する）。例えば、下りリンクグラントサーチスペースを形成する（サブフレームの第１のスロット内の）物理リソースブロックを、複数の異なるリソースブロックグループに位置させることができる。さらには、例えば、隣接していないリソースブロックグループの中に下りリンクグラントサーチスペースを定義するとき、分散型と局在型とを混用することも可能である。
【０１００】
下りリンクグラントサーチスペースの構成にかかわらず、上りリンクグラントサーチスペースは、下りリンクグラントサーチスペースを基準として、そのサブセットとして定義される。例えば、上りリンクグラントサーチスペースを、下りリンクグラントサーチスペースのサイズの（約）１／２とすることができ、すなわち、上りリンクグラントサーチスペースは、下りリンクグラントサーチスペースのリソースブロックの数の（約）１／２からなる。
【０１０１】
本発明の第１の態様による上りリンクグラントサーチスペースの構成では、上りリンクグラントサーチスペースと、下りリンクグラント（または実装によっては下りリンクグラントサーチスペース）に使用されるリソースとを除く残りのリソースに、下りリンクデータをマッピングすることができる。さらには、上りリンクグラントサーチスペースのサイズを減らすことによって、サブフレーム内にリソース割当てが存在しうる候補の位置が少なくなるため、ブラインド復号化の試行回数を減らすことができる。さらに、上りリンクグラントサーチスペースを、周波数領域に関して下りリンクグラントサーチスペースのサブセットのみをカバーするように定義することによって、下りリンクグラントサーチスペースに属している物理リソースブロックのリソースブロックペア上で、上りリンクグラントおよび下りリンクグラントと、対応する下りリンクデータとを、同時に送ることができ、この点については以降の説明からさらに明らかになるであろう。
【０１０２】
さらには、本発明の別の第２の態様（第１の態様の代替の実施例を提供する）によると、下りリンクグラントは、サブフレーム内の上りリンクグラントサーチスペースが（ユーザ）データを含んでいるか否かの指示情報を備えている。このことは、第２のスロットが上りリンクグラントサーチスペースを含んでいるか否かを下りリンクグラントが示していると考えることもできる。したがって、上りリンクグラントサーチスペースにマッピングされている（ユーザ）データが存在することを下りリンクグラントが示している場合、受信装置（例：中継ノード、移動端末）は、上りリンクグラントサーチスペース内で上りリンクグラントのブラインド検出を実行しない。
【０１０３】
このようにすることで、下りリンクグラントサーチスペースに属している物理リソースブロックペアのリソースの利用状況を明確に定義する／示すことが可能になり、したがって、上りリンクグラントおよび下りリンクデータの両方を第２のスロットにマッピングすることができ、リソースを無駄にする必要がない。この第２の態様は、特に、例えば、下りリンクグラントが、下りリンクグラントサーチスペースに属している物理リソースブロックのリソースブロックペアのリソースすべて（下りリンクグラントまたは下りリンクグラントサーチスペースのリソースを除く）の割当てを暗黙的に示すときに有用である。本発明のこの第２の態様の例示的な実施例においては、上りリンクグラントサーチスペースに（ユーザ）データがマッピングされていることを下りリンクグラントが示している場合、受信装置は、下りリンクグラントによって、上りリンクグラントサーチスペース内のリソースが（ユーザ）データの送信用に受信装置に割り当てられるものと想定する。しかしながら、サブフレーム内の上りリンクグラントサーチスペースのリソースを別の用途に使用することもできる（例えば、別の受信装置に割り当てる）。
【０１０４】
上記の第１の態様および第２の態様の両方に関連するさらなる例示的な一実施例においては、上りリンクグラントサーチスペースは、下りリンクグラントサーチスペース上で実行されるブラインド検出の結果に基づいて、受信装置によってさらに動的に決定される。例えば、受信装置によって下りリンクグラントサーチスペース内に下りリンクグラントが検出された場合、上りリンクグラントサーチスペースは、下りリンクグラントサーチスペース内に下りリンクグラントが検出されない場合に受信装置によって想定される上りリンクグラントサーチスペースとは異なる（例えば、より小さい）ものとすることができる。したがって、上りリンクグラントサーチスペースのサイズは、サブフレームの下りリンクグラントサーチスペース内の下りリンクグラントの存在に依存することにおいて、動的とすることができる。
【０１０５】
本発明のさらなる第３の態様は、下りリンクグラントをシグナリングするための制御チャネル信号フォーマットであって、受信装置の上りリンクグラントサーチスペースに下りリンクデータがマッピングされているかを示すことのできるフォーマットを提案することである。このフォーマットは、後方互換性のフォーマットであり、リソース割当てフィールドの新規の解釈を提供する。通常、制御チャネル信号フォーマット（例えば、下りリンクグラント（Ｒ−ＰＤＣＣＨ）を定義するＤＣＩフォーマット）のリソース割当てフィールドは、ビットマップを含んでいることができ、ビットマップの各ビットは、リソースブロック（またはリソースブロックグループ）のインデックスにリンクされており、ビットマップ内のそれぞれのビット位置に対応するそれぞれのリソースブロック（またはリソースブロックグループ）が受信装置に割り当てられているか否かを示している。
【０１０６】
第３の態様によると、サブフレームの第１のスロット内で下りリンクグラントをシグナリングしている物理リソースブロックペアのリソースブロック（またはリソースブロックグループ）は、受信装置に割り当てられているものと想定する。下りリンクグラントをシグナリングしているリソースブロック（またはリソースブロックグループ）に関連付けられる、リソース割当てフィールド内のビットマップのビットは、サブフレームの第２のスロット内の上りリンクグラントサーチスペースにもデータがマッピングされているか否か（すなわち受信装置が第２のスロット内で上りリンクグラントのブラインド検出を実行する必要があるか否か）をシグナリングするために使用される。したがって、受信装置にＲＢＧ単位でリソースが割り当てられる場合、下りリンクグラントを含んでいるリソースブロックグループに関連付けられる、下りリンクグラントのリソース割当てフィールド内のビットマップのビットは、制御チャネル信号を含んでいるリソースブロックグループ内の上りリンクグラントサーチスペースに、受信装置へのデータがマッピングされているか否かを受信装置に示すインジケータとして使用される。
【０１０７】
図１３は、下りリンクサブフレームのリソースブロックグループ（ＲＢＧ）を示しており、下りリンクグラントサーチスペースおよび上りリンクグラントサーチスペースは、本発明の態様に従って構成されている、すなわち、上りリンクグラントサーチスペースは、周波数領域リソースに関して下りリンクグラントサーチスペースのサブセットとして定義されている。図１３は、例示のみを目的として、３ＧＰＰ  ＬＴＥ−Ａのサブフレーム構造のＲＢＧを示しており、下りリンクグラントサーチスペースと上りリンクグラントサーチスペースがスロット境界によって分けられている。なお、下りリンクグラントサーチスペースは、第１のスロットのＯＦＤＭシンボル全体ではなく、図１３に示したように、そのサブセットのみをカバーしていることができることに留意されたい。一般的には、下りリンクグラントサーチスペースおよび上りリンクグラントサーチスペースを、複数のＲＢＧ上に定義する、あるいは物理リソースブロック（ＰＲＢ）単位で定義することもできる。
【０１０８】
さらには、ＲＢＧ内のＰＲＢペアの数は、システムの帯域幅に依存することができることに留意されたい。図１３の例においては、４つのＰＲＢペアがＲＢＧを形成しているが、３つまたは２つのＰＲＢペア（または１つのＰＲＢペア）としてＲＢＧを定義することもできる。図１３によると、上りリンクグラントのサーチスペースは、ＰＲＢインデックスに関して下りリンクグラントサーチスペースのサブセットとして定義されている。上りリンクグラントサーチスペースの位置は、例えば、下りリンクグラントサーチスペースに属するＰＲＢインデックスの中で事前に定義することができる。例えば、図１３に示したように、上りリンクグラントサーチスペースは、ＲＢＧの中のＰＲＢのうち、下りリンクグラントサーチスペースを定義しているＰＲＢの小さい方から２つのＰＲＢインデックス（＃１および＃２）に属するＰＲＢを占有している。なお、上りリンクグラントサーチスペースは、ＲＢＧの中のＰＲＢのうち、下りリンクグラントサーチスペースを定義しているＰＲＢの大きい方から２つのＰＲＢインデックス（＃３および＃４）上に、または図１７に示したように奇数のＰＲＢインデックス（＃１および＃３）上に、または偶数のＰＲＢインデックス（＃２および＃４）上に、定義することもできることに留意されたい。
【０１０９】
図１４において理解できるように、提案する新規の構成として、上りリンクグラントサーチスペースを下りリンクグラントサーチスペースのサブセットとして構成することによって、上りリンクグラントサーチスペースに属さないリソースを、下りリンクデータの受信用に受信装置（例えば中継ノード）に割り当てることができる。したがって、ＲＢＧのこれらの「残った」リソースを、中継ノードへの下りリンクデータチャネル（例えばＲ−ＰＤＳＣＨ）に使用することができる。図１４に示した例において、下りリンクグラントサーチスペースのリソースブロック（第１のスロット内のＰＲＢインデックス＃３および＃４のＰＲＢ）は、割り当てられる下りリンクリソースの一部と考えられることに留意されたい。オプションとして、サブフレームの第２のスロットのリソースブロックのうち、上りリンクグラントサーチスペース内に位置していないリソースブロック（第２のスロット内のＰＲＢインデックス＃３および＃４のＰＲＢ）のみが、下りリンクグラントによって割り当てられる。なお、図１１または図１２に関連して提示した例では、下りリンクデータをＲＢＧにマッピングすると同時に、上りリンクグラントサーチスペースを有する（すなわち同じＲＢＧ内で上りリンクグラントをシグナリングする）ことは不可能であることに留意されたい。
【０１１０】
例示的な一実施例においては、下りリンクデータチャネル（例えばＲ−ＰＤＳＣＨ）は、ＲＢＧ単位で受信装置（例えば中継ノード）に割り当てられることに留意されたい。したがって、上の例においては、下りリンクグラントは、下りリンクグラントを含んでいるＲＢＧの「残った」リソースが受信装置に割り当てられることを暗黙的に示すことができる（すなわち、下りリンクグラントにおいて物理リソースの明示的な指示が要求されない）。
【０１１１】
さらには、より高度な実施例においては、上りリンクグラントサーチスペースのサイズを、さらに動的とすることができる。本発明のさらなる実施形態による例示的な実施例について、図１５に関連して概説する。下りリンクグラントサーチスペースと、デフォルトの上りリンクグラントサーチスペースは、図１３に示したように構成されている。受信装置は、下りリンクグラントサーチスペース内に下りリンクグラントを検出した場合、上りリンクグラントサーチスペースのサイズを、（周波数領域リソースに関して）デフォルトの上りリンクグラントサーチスペースのサブセットとなるように、さらに減少させる。図１５はこの状況を示しており、下りリンクグラントはサブフレームの第１のスロットのＰＲＢ＃１および＃２上でシグナリングされ、受信装置は、下りリンクグラントのブラインド検出に基づいて、上りリンクグラントサーチスペースのサイズをさらに低減させる。図１５に示した例においては、ＲＢＧ内のリソースを許可する下りリンクグラントが検出されると、受信装置は、上りリンクグラントサーチスペースがサブフレームの第２のスロット内のインデックス＃１のＰＲＢのみからなるものと想定し、この「低減された」上りリンクグラントサーチスペース上でのみ上りリンクグラントのブラインド検出を実行する。したがって、第２のスロット内のインデックス＃２、＃３、＃４の残りのＰＲＢを、（サブフレームの第１のスロット内のインデックス＃３および＃４のＰＲＢと一緒に）割り当てることができ、受信装置への下りリンクデータ（例えばＲ−ＰＤＳＣＨデータ）を伝えるものとみなすことができる。したがって、上りリンクグラントのブラインド検出は、動的に決定された上りリンクグラントサーチスペース上で実行される。
【０１１２】
受信装置は、ＲＢＧの下りリンクグラントサーチスペース内に下りリンクグラントが検出されない場合（または（１つまたは複数の）別のＲＢＧ上のリソースを割り当てる下りリンクグラントが検出された場合）、図１３に示したデフォルトの上りリンクグラントサーチスペースを想定し、このサーチスペース内で上りリンクグラントのブラインド検出を実行する。
【０１１３】
本発明の実施形態によると、受信装置は、下りリンクグラントサーチスペース内に下りリンクグラントが検出された場合、ＲＢＧの物理リソース全体（厳密に言えば、ＲＢＧ内の下りリンクグラントサーチスペースおよび上りリンクグラントサーチスペース内のリソース）が、上りリンクグラントサーチスペースに使用されている物理リソースと、下りリンクグラントに使用されている物理リソースブロックとを除いて、受信装置に割り当てられるものと想定することができる。あるいはこれに代えて、受信装置は、下りリンクグラントサーチスペース内に下りリンクグラントが検出された場合、第２のスロット内のＲＢＧの物理リソース全体が、上りリンクグラントサーチスペースに使用されている物理リソースを除いて、受信装置に割り当てられるものと想定することができる。
【０１１４】
本発明の第２の態様に基づく、本発明のさらなる実施形態においては、下りリンクグラントは、第２のスロット内の上りリンクグラントサーチスペースに、受信装置への下りリンクデータがマッピングされているか否かの指示情報を備えていることができる。上りリンクグラントサーチスペースに下りリンクデータがマッピングされている場合、受信装置は、その下りリンクデータが、第２のスロット内のＲＢＧのリソース要素にマッピングされているものと想定する。上りリンクグラントサーチスペースに下りリンクデータがマッピングされていない場合、受信装置は、下りリンクデータが、上りリンクグラントサーチスペースのリソース要素を除く、第２のスロット内のＲＢＧのリソース要素にマッピングされているものと想定する。なお、この例においても、前述したように上りリンクグラントサーチスペースを動的に決定することができることに留意されたい。
【０１１５】
本質的には、上りリンクグラントサーチスペースにデータがマッピングされていないことを下りリンクグラントが示している場合、受信装置は、下りリンクデータが図１４または図１５に示したようにＲＢＧリソース要素にマッピングされるものと想定する。上りリンクグラントサーチスペースにデータがマッピングされていることを下りリンクグラントが示している場合、受信装置は、下りリンクデータが図１６に示したようにＲＢＧリソース要素にマッピングされるものと想定し、それに応じてリソース要素上の変調シンボルを復調および復号化する。したがって、この例示的な実施例においては、下りリンクグラントにおける指示情報によって、ＲＢＧの第２のスロットのリソース全体を下りリンクデータチャネル（例えばＲ−ＰＤＳＣＨデータ）用に使用することができる。
【０１１６】
本発明の例示的な一実施形態においては、上りリンクグラントサーチスペースにデータがマッピングされているかを示す、下りリンクグラントに含まれている指示情報は、ビットマップによって実施することができる。下りリンクグラントは、例えば、このビットマップを含んでいるリソース割当てフィールドを備えていることができる。ビットマップの各ビット位置は、物理リソースブロックグループに関連付けられており、それぞれの関連付けられている物理リソースブロックグループが、下りリンクデータ送信用に受信装置に割り当てられているか否かを示している。前述したように、この例においては、下りリンクグラントを含んでいるリソースブロックグループは、つねに受信装置に割り当てられている。下りリンクグラントを含んでいるリソースブロックグループに関連付けられているビットマップのビットは、下りリンクグラントを含んでいるそのリソースブロックグループ内の上りリンクグラントサーチスペースにマッピングされているデータが存在するか否かを示すインジケータとして使用される。例えば、下りリンクグラントを含んでいるリソースブロックグループに関連付けられているビットがセットされている（例えば１である）場合、そのことは、上りリンクグラントサーチスペースを定義している（１つまたは複数の）ＰＲＢにマッピングされているデータが存在することを、受信装置に示している（図１６を参照）。したがって、上りリンクグラントのブラインド検出を実行する必要がない。下りリンクグラントを含んでいるリソースブロックグループに関連付けられているビットがセットされていない（例えば０である）場合、そのことは、上りリンクグラントサーチスペースを定義している（１つまたは複数の）ＰＲＢにマッピングされているデータが存在しないことを、受信装置に示している。したがって、下りリンクデータは、例えば図１４または図１５に示したようにＲＢＧのＰＲＢにマッピングされている。この場合、受信装置は、上りリンクグラントサーチスペース内で上りリンクグラントのブラインド検出をさらに実行する。
【０１１７】
図１３〜図１６に関連して上述した例においては、下りリンクグラントサーチスペースとリソースの割当てがＲＢＧ単位で実行されることと、オプションとして、受信装置へのリソース割当てもＲＢＧ単位で実行されることを想定してきた。この想定は単なる例示であることに留意されたい。下りリンクグラントサーチスペースをＰＲＢ単位で（すなわち一連のＲＢＧインデックスの代わりに一連のＰＲＢインデックスとして）定義することも同様に可能である。さらには、この例においても、上りリンクグラントサーチスペースを、周波数領域において下りリンクグラントサーチスペースのサブセットとして定義することができる。したがって、この場合、上りリンクグラントサーチスペースは、第１のスロット内で下りリンクグラントサーチスペースを形成している物理リソースブロックの物理リソースブロックペアの、第２のスロット内の物理リソースブロック、のサブセットによって形成される。図１８は、純粋に説明を目的とした例を示しており、サブフレームの第１のスロット内の物理リソースブロックのうち、それぞれ異なるリソースブロックグループに属している４つの物理リソースブロック（インデックス＃１、＃３、＃５、＃７）が、下りリンクグラントサーチスペースを形成しており、上りリンクグラントサーチスペースを形成している、第２のスロット内の物理リソースブロックは、周波数領域における４つの隣接する物理リソースブロック（インデックス＃３〜＃５）のサブセットである。
【０１１８】
さらに、下りリンクグラントによる物理リソースの割当てを実施することができる。図１９に示したように（ここでは４つのＰＲＢ上でそれぞれ１つの下りリンクグラントが送られることに留意されたい）、下りリンクグラントサーチスペース内の下りリンクグラントによって、ＰＲＢ単位でリソースを受信装置に割り当てることができる。例えば、下りリンクグラントは、受信装置に割り当てられる、各ＲＢＧ内の（１つまたは複数の）ＰＲＢを示している。このようにすることで、データチャネル（例えばＲ−ＰＤＳＣＨ）のリソース割当てと上りリンクグラントサーチスペースの重なりを回避することが、論理的には可能である。しかしながら、たとえ重なりが存在する場合にも、例えば、上りリンクグラントサーチスペース内に位置するＲＢＧ内の割り当てられるリソース要素が、受信装置へのデータの送信用に使用されるのか、または上りリンクグラントサーチスペースとして使用されるのかを、下りリンクグラントが示すことができる。受信装置は、指示情報に従うことができ、上りリンクグラントサーチスペース内で上りリンクグラントの検出を試行するか、または上りリンクグラントサーチスペースのリソースブロック上のデータを検出することができる。図１９に示した例においては、受信装置は、第２のスロットのリソースブロック＃１、＃５、＃９、＃１１、＃１３、．．．において下りリンクデータを受信する一方で、第２のスロットのリソースブロック＃３および＃７において上りリンクグラントのブラインド検出を試行する。
【０１１９】
なお、下りリンクグラントのサーチスペースが物理リソースブロック（または周波数領域におけるそのインデックス）単位で定義される場合にも、当然ながら、図１３〜図１６に関連して上述した例と同様に、上りリンクグラントサーチスペースのサイズを動的に調整する、もしくは、上りリンクグラントサーチスペースにマッピングされているデータが存在するかの指示情報を下りリンクグラントに含める、またはその両方を行うことが可能であることに留意されたい。
【０１２０】
図２０は、本発明の例示的な実施形態による、受信装置の動作の流れ図を示している。受信装置は、基地局（３ＧＰＰの専門用語においては基地局装置またはＮｏｄｅ  Ｂ）からサブフレームを受信する（２００１）。受信装置は、例えば、中継ノードまたは移動端末（３ＧＰＰの専門用語においてはユーザ機器）とすることができる。サブフレームは、複数のＯＦＤＭシンボルからなることができる。
【０１２１】
３ＧＰＰ  ＬＴＥ−Ａシステムにおいては、下りリンク（および上りリンク）においてコンポーネントキャリアのアグリゲーションを使用することができ、サブフレームは、周波数領域において複数のコンポーネントキャリアを範囲とすることができる。例示的な一実施例においては、サブフレームは、３ＧＰＰ  ＬＴＥ−Ａシステムのサブフレームであり、図１および図２に関連して説明した構造を有する。なお、サブフレームは、物理リソースブロックおよび物理リソースブロックペアに論理的に分割される以外に、特定の数（例えば２個、３個、または４個の物理リソースブロック）からなるリソースブロックグループを定義することができることに留意されたい。
【０１２２】
受信装置は、サブフレーム内の下りリンクグラントおよび上りリンクグラントのサーチスペースを認識している。したがって、受信装置は、自身にシグナリングされた下りリンクグラントが存在するかを調べるため、下りリンクグラントサーチスペースの物理リソース上でブラインド復号化を実行する（２００２）。「ブラインド復号化」とは、下りリンクグラントのＣＣＥ（制御チャネル要素）のアグリゲーションサイズや、第１層／第２層制御情報の変調・符号化方式を示す、対応する制御シグナリングが存在せず、受信装置が、ＣＣＥアグリゲーションサイズと変調・符号化方式のあらゆる可能な組合せについて下りリンクサーチスペースのリソース要素を試し、第１層／第２層制御情報に付加されているＣＲＣフィールドをマスクするために使用されるＲＮＴＩに基づいて、下りリンクグラント情報（すなわち第１層／第２層制御情報）が正常に復号化されたことを確認することを意味する。
【０１２３】
それぞれのサーチスペースの構成は、例えば、事前に定義する、またはネットワークによって（例えばＲＲＣシグナリングによって）設定することができる。例示的な一実施例においては、下りリンクグラントサーチスペースは、ネットワーク（例えば制御する基地局）によって、静的または半静的に設定することができる。例えば、下りリンクグラントサーチスペースとして定義される物理リソースブロックペアの物理リソースブロックペアインデックス、または（１つまたは複数の）リソースブロックグループのリソースブロックグループインデックスをシグナリングすることによって、受信装置に下りリンクグラントサーチスペースを示すことができる。前述したように、下りリンクグラントサーチスペースは、時間領域におけるサブフレームの第１のスロット内に（例えば第１のスロットのＯＦＤＭシンボルのサブセットに）のみ定義することができる。
【０１２４】
上りリンクグラントサーチスペースは、前述したように下りリンクグラントサーチスペースに依存し、周波数リソースに関して下りリンクグラントサーチスペースのサブセットである。上述したように、下りリンクグラントサーチスペースの定義は、本明細書において図１３〜図１８のいずれかに関連して説明したようにすることができる。
【０１２５】
さらに、上りリンクグラントサーチスペースは、事前に定義する、または、何らかの所定の規則に従って、あるいは制御シグナリング（例えばＲＲＣ制御シグナリング）に従って、受信装置によって設定することができる。
【０１２６】
2013538475.tif 000003
【０１２７】
受信装置は、自身への下りリンクグラントが、下りリンクグラントサーチスペース内のリソース要素から正常に検出された（すなわち復調されて正常に復号化された）かを確認する（２００３）。正常に検出された場合、受信装置はさらにステップ２００４に進む。図２０の例においては、下りリンクグラントサーチスペース上でのブラインド検出の結果に基づいて上りリンクグラントサーチスペースが動的に構成されるものと想定する。したがって、受信装置は、下りリンクグラントが検出された場合、それに応じて上りリンクグラントサーチスペースのサイズを調整する。例えば、図１５に関連して説明したように、下りリンクグラントが検出された場合、下りリンクグラントサーチスペース内に下りリンクグラントが検出されない状況（ステップ２０１０および図１３を参照）と比較して、上りリンクグラントサーチスペースのサイズをさらに減らすことができる。これに代えて、またはこれに加えて、下りリンクグラントがシグナリングされた物理リソースブロックが、上りリンクグラントサーチスペースの周波数リソースを定義することもできる（すなわち、第１のスロットにおいて下りリンクグラントが受信された物理リソースブロックのＰＲＢペアの、第２のスロット内の物理リソースブロックが、上りリンクグラントサーチスペースを形成する）。上りリンクグラントサーチスペースの動的な調整が想定されない場合、ステップ２００４はスキップすることができる。
【０１２８】
下りリンクグラントが検出されなかった場合、受信装置は、第２のスロット内の上りリンクグラントサーチスペース内で上りリンクグラントのブラインド検出を実行する（２０１０）。上りリンクグラントサーチスペースのサイズが、ステップ２００２のブラインド復号化の結果に従って動的に調整される場合、ステップ２０１０においてブラインド復号化される上りリンクグラントサーチスペースは、例えば図１３に示したように、ステップ２００４における上りリンクグラントサーチスペースよりも大きい。
【０１２９】
次いで、受信装置は、受信装置にシグナリングされた可能性のある上りリンクグラントを検出するため、決定された上りリンクグラントサーチスペース上でブラインド検出を実行し（２００５）、下りリンクグラントによって割り当てられたリソース要素を復調および復号化して下りリンクデータを得る（２００６）。復調および復号化が実行されるリソース要素は、サブフレームの第２のスロット内に位置しており、かつ上りリンクグラントサーチスペース内に位置していないリソースブロックのリソース要素、あるいは、サブフレームの第２のスロット内に位置しており、かつ上りリンクグラントサーチスペース内に位置していないリソースブロックのリソース要素と、第１のスロット内の下りリンクグラントサーチスペースのリソース要素のうち下りリンクグラントのシグナリングに使用されないリソース要素である。ＰＤＳＣＨでの下りリンクデータの送信にＨＡＲＱプロトコルが使用される場合、受信装置は、ＨＡＲＱフィードバック（ＡＣＫ／ＮＡＣＫ）を、（例えば、ステップ２００９における上りリンクデータ送信（該当時）と一緒に）基地局に送信することができる。なお、ステップ２００６は、ステップ２００４またはステップ２００５の前に実行することもできることに留意されたい。
【０１３０】
さらに、受信装置は、上りリンクグラントサーチスペース内で上りリンクグラントが受信されたかを確認することができる（２００７）。受信されない場合、受信装置のさらなる動作は必要なく、受信装置は、次のサブフレームの受信を待機することができる。受信された場合、受信装置は、上りリンクグラントに従って上りリンクデータを符号化してトランスポートブロックを生成し、符号化されたデータを上りリンクキャリア上に変調し（２００８）、基地局に送信する（２００９）。上りリンク送信（２００９）は、例えば、上りリンクグラントを受信してから４ｍｓ後に、必要な場合にはＨＡＲＱプロトコルを使用して送ることができる。
【０１３１】
図２１は、本発明の別の例示的な実施形態による、受信装置の動作の別の流れ図を示している。図２１の流れ図は、図２０の流れ図にほぼ類似している。２つの流れ図の主たる違いは、ステップ２００２において受信され得る下りリンクグラントに含まれている指示情報（ステップ２００１において受信されたサブフレームの第２のスロット内の上りリンクグラントサーチスペースにデータがマッピングされているか否か）に応じた受信装置の動作である。受信装置は、下りリンクグラントが検出された場合、その下りリンクグラントが、サブフレームの第２のスロット内の上りリンクグラントサーチスペースにデータがマッピングされていることを示しているかを確認する（２１０１）。データがマッピングされている場合、受信装置は、サブフレームの第２のスロット内の割り当てられているリソース要素が、例えば図１６に示したように、上りリンクグラントサーチスペースのリソース要素も含んでいるものと判定する（２００４）。したがって、受信装置はステップ２００４とステップ２００５をスキップすることができ、なぜなら、このことは、サブフレームの第２のスロット内に上りリンクグラントが存在しないことを意味するためである。受信装置は、第２のスロットの割り当てられているリソース要素（上りリンクグラントサーチスペースのリソース要素を含む）を復調および復号化することができる（２１０２）。
【０１３２】
下りリンクグラントが、上りリンクグラントサーチスペースにマッピングされている下りリンクデータが存在しないことを示している場合、受信装置は、図２０に関連して説明したステップ２００４およびステップ２００５を実行し、さらに、ステップ２１０２は、この場合にはステップ２００６に類似する。
【０１３３】
さらには、図２０および図２１に関連して説明した例示的な動作においては、本明細書において前述したように、受信装置においてＲＢＧ単位の下りリンクリソース割当てを想定できることに留意されたい。これに代えて、本明細書において前述したように、下りリンクリソースを、下りリンクグラントサーチスペースの定義に暗黙的に従うものとし、ＰＲＢ単位で定義することもできる。
【０１３４】
割当てと、下りリンクグラントサーチスペースの定義とを暗黙的にＲＢＧ単位とする場合、複数の受信装置の下りリンクグラントをインターリーブすることが困難になる。例えば、図２２に示したように、下りリンクグラントサーチスペースおよび上りリンクグラントサーチスペースが２つの隣接するＲＢＧ内に定義されており、これらのサーチスペースが２基の受信装置（ＲＮ１およびＲＮ２）によって共有されている場合を考える。受信装置をインターリーブするとき、２基の受信装置への下りリンクグラントは、２つのＲＢＧにおける下りリンクグラントサーチスペースに分散される。したがって、下りリンクデータのそれぞれのＲＢＧリソースがどちらの受信装置に割り当てられているかが明らかではない。複数の受信装置がインターリーブされており、同じ下りリンクグラントサーチスペースにマッピングされている場合、それぞれのＲＢＧ内のリソースがそれぞれの受信装置へのデータの送信（例えばＲ−ＰＤＳＣＨ送信）用に使用されるかを、明示的な制御シグナリング（例えばＲＲＣシグナリング）、または、上りリンクグラントサーチスペースあるいは下りリンクグラントサーチスペース内の（例えばＲ−ＰＤＣＣＨ領域内の）物理制御チャネル上のシグナリングを使用して、各受信装置に示すことができる。
【０１３５】
これに代えて、各受信装置が、下りリンクグラントが受信されたＲＢＧが自身に割り当てられているか否かを認識することができるように、暗黙的な規則を定義することができる。１つの可能な規則として、ＲＢＧ内の利用可能なＰＲＢを下りリンクグラントのＣＣＥインデックスにリンクする。このようにすることで、受信装置は、自身の下りリンクグラントがシグナリングされたＣＣＥインデックスから、ＲＢＧ内のどのリソースブロックが自身に割り当てられているかを導くことができる。別の可能な規則として、奇数のＰＲＢを受信装置ＲＮ１に、偶数のＰＲＢを受信装置ＲＮ２に、それぞれ暗黙的に割り当てる。
【０１３６】
さらなる別のオプションとして、下りリンクグラントがマッピングされているＲＢＧ内の物理リソースブロックを、同じ下りリンクグラントおよび上りリンクグラントサーチスペースを共有している受信装置に交互に割り当てる。例えば、利用可能な１つの下りリンクバックホールサブフレームでは、ＲＢＧのリソースブロックは、受信装置ＲＮ１へのデータ送信（Ｒ−ＰＤＳＣＨ上）用に利用可能である。次の利用可能な下りリンクバックホールサブフレームでは、ＲＢＧのリソースブロックは、受信装置ＲＮ２へのデータ送信（Ｒ−ＰＤＳＣＨ上）用に利用可能である。
【０１３７】
本発明の別の例示的な実施形態においては、下りリンクグラントのアグリゲーションレベルと、上りリンクグラントのアグリゲーションレベルとが関連付けられている。例えば、下りリンクグラントにアグリゲーションレベル４が使用されている（すなわち下りリンクグラントをシグナリングするのに４つのＣＣＥが使用される）場合、上りリンクグラントにアグリゲーションレベル２を使用しなければならない。この場合、ブラインド復号化の処理回数がさらに低減される。しかしながら、上りリンクグラントのアグリゲーションレベルを選択するときの柔軟性は制約される。例えば、第１のスロット内の４つのＰＲＢが下りリンクグラント用に割り当てられている場合、第２のスロット内の２つのＰＲＢが上りリンクグラントサーチスペースとして定義される。この場合、上りリンクグラントにはアグリゲーションレベル２または１を使用することができる。
【０１３８】
この実施形態の１つのバリエーションにおいては、上りリンクグラントサーチスペースが上りリンクグラント用に予約されており、すなわち、上りリンクグラントサーチスペースにおいてデータ（例えばＲ−ＰＤＳＣＨ）は送信されない。したがって、下りリンクグラントを伝えるＲＢＧに対応するビットを、上りリンクグラントサーチスペースに下りリンクデータがマッピングされているかを示す目的に使用する方式と同様に、受信装置は、下りリンクグラント内のリソース割当てフィールドのこの１ビットを、上りリンクグラントサーチスペースのリソースブロック（および下りリンクグラントに使用されるリソースブロック）以外のリソースブロックが、第１のスロット内で下りリンクグラントを受信した受信装置に利用可能であるか否かを示すインジケータとして、解釈することができる。サーチスペースをインターリーブし、ＣＲＳを使用する場合、１基の受信装置のみがこの指示情報を受信するようにすることができ、それにより、リソース割当ての衝突を回避することができ、複数の受信装置をインターリーブすることが可能になる。
【０１３９】
これに代えて、複数の受信装置が、１つのサブフレームの中で、データ送信用に（例えばＲ−ＰＤＳＣＨ用に）利用可能なリソースブロックを共有することができるように、暗黙的な規則を定義することもできる。
【０１４０】
サブフレームの構造の一部を示しているいくつかの図（例えば、図８〜図１９、図２２）においては、いくつかのリソース要素は基準シンボル（ＤＭ−ＲＳ、ＣＲＳ）を含んでいるように示してある。基準シンボルを含んでいるこれらのリソース要素が、サーチスペースまたはリソース割当て（グラント）の一部であるとみなされるか否かは、定義の問題であり、本明細書においてはどちらの定義も考慮される。いずれの場合も、制御シグナリング（例えばＰＤＣＣＨ、Ｒ−ＰＤＣＣＨ）および（ユーザ）データ（例えばＰＤＳＣＨデータ、Ｒ−ＰＤＳＣＨデータ）は、基準シンボルを含んでいないリソース要素にのみマッピングされる。
【０１４１】
さらには、本発明のさまざまな実施形態は、プロセッサによって実行されるソフトウェアモジュールによって実施する、あるいはハードウェアに直接実装することができる。さらに、ソフトウェアモジュールとハードウェア実装とを組み合わせることも可能である。ソフトウェアモジュールは、任意の種類のコンピュータ可読記憶媒体、例えば、ＲＡＭ、ＥＰＲＯＭ、ＥＥＰＲＯＭ、フラッシュメモリ、レジスタ、ハードディスク、ＣＤ−ＲＯＭ、ＤＶＤなどに格納することができる。
【０１４２】
さらには、実施形態のほとんどは、３ＧＰＰベースの通信システムのアーキテクチャに関連して概説してあり、ここまでの説明で使用している専門用語は主として３ＧＰＰの専門用語に関連している。しかしながら、専門用語と、さまざまな実施形態の説明とが、３ＧＰＰベースのアーキテクチャに関連していることは、本発明の原理および発想がそのようなシステムのみに限定されることを意図するものではない。
【０１４３】
さらに、背景技術のセクションにおける詳しい説明は、本明細書に記載されている、ほとんどが３ＧＰＰに固有な例示的な実施形態を深く理解することを目的としており、移動通信ネットワークにおけるプロセスおよび機能の、説明した特定の実施形態に本発明を制限するものではないことを理解されたい。しかしながら、本明細書に提案されている概念およびサブフレームの構造は、背景技術のセクションに記載したアーキテクチャにおいて容易に適用することができる。さらには、本発明の概念は、３ＧＰＰによって現在議論されているＬＴＥ−Ａ  ＲＡＮにおいても容易に使用することができる。
【０１４４】
ここまで、本発明のさまざまな実施形態およびそのバリエーションについて説明した。当業者には理解されるように、具体的な実施形態において示した本発明には、広義に記載されている本発明の概念または範囲から逸脱することなく、膨大なバリエーションもしくは変更形態を創案することができる。
【図１】
2013538475.tif 000004
【図２】
2013538475.tif 000005
【図３】
2013538475.tif 000006
【図４】
2013538475.tif 000007
【図５】
2013538475.tif 000008
【図６】
2013538475.tif 000009
【図７】
2013538475.tif 000010
【図２０】
2013538475.tif 000011
【図２１】
2013538475.tif 000012
【図８】
2013538475.tif 000013
【図９】
2013538475.tif 000014
【図１０】
2013538475.tif 000015
【図１１】
2013538475.tif 000016
【図１２】
2013538475.tif 000017
【図１３】
2013538475.tif 000018
【図１４】
2013538475.tif 000019
【図１５】
2013538475.tif 000020
【図１６】
2013538475.tif 000021
【図１７】
2013538475.tif 000022
【図１８】
2013538475.tif 000023
【図１９】
2013538475.tif 000024
【図２２】
2013538475.tif 000025
【国際調査報告】
2013538475.tif 000026
2013538475.tif 000027
2013538475.tif 000028